(57)【要約】【課題】文字の入力作業の際の操作性の向上を図ることができると共に、小型化を図ることができる携帯端末を提供する。【解決手段】表示手段１０の画面にはタッチパネルが設けられる。キーボード画像を含む文字入力画面には第一カーソル１０１及び第二カーソル１０２が表示される。第一カーソル１０１の移動方向等を指示するための第一指示画像２０と、第二カーソル１０２の移動方向等を指示するための第二指示画像３０とはそれぞれ、表示手段１０の画面上の所定の領域に表示される。携帯端末の制御手段は、ユーザが第一指示画像２０又は第二指示画像３０を操作したときに、タッチパネルから出力される信号に基づいてその操作の内容を判定し、その判定した結果にしたがって第一カーソル１０１及び第二カーソル１０２の移動を制御したり、文字の入力を制御したりする。【選択図】図１
2014115971.tif 000002
【特許請求の範囲】
【請求項１】
複数の文字キー画像を含むキーボード画像を有する文字入力画面をタッチパネル付きの表示手段の画面上に表示し、前記キーボード画像の文字キー画像を利用して文字の入力を行う文字入力機能を有する携帯端末において、
前記表示手段の画面上における所定の表示領域に表示された、前記文字入力画面に表示されるカーソルについての移動方向を指示すると共に前記カーソルが前記キーボード画像上で現在指し示しているキー画像の選択を指示するための指示画像の表示を制御する指示画像表示制御手段と、
前記表示手段の画面上における所定の表示領域に前記指示画像を表示するための指示画像表示領域情報を記憶する記憶手段と、
前記表示手段の画面に対して接触操作が行われたときにその接触した位置を検知し、その検知した位置を示す接触位置情報を出力する位置検知手段と、
前記位置検知手段から接触位置情報が送られたときに、当該接触位置情報及び前記記憶手段に記憶されている指示画像表示領域情報に基づいて、前記カーソルの移動方向を指示する第一操作が前記指示画像に対して行われたどうか、前記カーソルが前記キーボード画像上で指し示しているキー画像の選択を指示する第二操作が前記指示画像に対して行われたかどうかを判断し、前記指示画像に対する前記各操作が行われたと判断したときに、前記指示画像に対する当該操作が行われた旨の信号を出力する操作判定手段と、
前記操作判定手段から前記指示画像に対する前記第一操作が行われた旨の信号が送られたときに、当該第一操作によって指示された方向に前記カーソルが移動するように前記文字入力画面上での前記カーソルの移動を制御するカーソル表示制御手段と、
前記操作判定手段から前記指示画像に対する前記第二操作が行われた旨の信号が送られたときに、前記カーソルが現在、文字キー画像を指し示していれば、当該文字キー画像と対応付けられた文字の入力を制御する入力制御手段と、
を備え、
前記指示画像は、前記カーソルについての移動方向を指示するための一つ又は複数の移動方向指示部と、前記カーソルが前記キーボード画像上で現在指し示しているキー画像の選択を指示するための選択指示部とを有し、
前記第一操作は前記指示画像の前記各移動方向指示部を接触する操作であり、前記第二操作は前記指示画像の前記選択指示部を接触する操作であることを特徴とする携帯端末。
【請求項２】
前記指示画像表示制御手段は、所定の設定画面を用いて前記指示画像の表示領域についてその表示位置、大きさ又は形状の変更が指示されたときに、その指示された内容にしたがって前記表示手段の画面上における前記指示画像の表示領域を変更することを特徴とする請求項１記載の携帯端末。
【請求項３】
前記操作判定手段は、前記位置検知手段から接触位置情報が送られたときに、当該接触位置情報及び前記記憶手段に記憶されている指示画像表示領域情報に基づいて、前記指示画像を一定時間以上長押しした後にドラッグする操作が行われたかどうかを判断し、前記指示画像を一定時間以上長押しした後にドラッグする操作が行われたと判断したときに、前記指示画像に対して長押し操作の後に所定の方向に沿ってドラッグ操作が行われた旨の信号を出力し、
前記指示画像表示制御手段は、前記操作判定手段から前記指示画像に対して長押し操作の後に所定の方向に沿ってドラッグ操作が行われた旨の信号が送られたときに、当該方向に前記指示画像の表示位置が移動するように前記表示手段の画面上における前記指示画像の表示位置を制御することを特徴とする請求項１又は２記載の携帯端末。
【請求項４】
前記操作判定手段は、前記位置検知手段から接触位置情報が送られたときに、当該接触位置情報及び前記記憶手段に記憶されている指示画像表示領域情報に基づいて、前記指示画像をピンチインする操作又はピンチアウトする操作が行われたかどうかを判断し、前記指示画像をピンチインする操作が行われたと判断したときに、前記指示画像に対してピンチイン操作が行われた旨の信号を出力し、前記指示画像をピンチアウトする操作が行われたと判断したときに、前記指示画像に対してピンチアウト操作が行われた旨の信号を出力し、
前記指示画像表示制御手段は、前記操作判定手段から前記指示画像に対してピンチイン操作が行われた旨の信号が送られたときに、前記表示手段の画面上における前記指示画像の大きさを縮小し、前記操作判定手段から前記指示画像に対してピンチアウト操作が行われた旨の信号が送られたときに、前記表示手段の画面上における前記指示画像の大きさを拡大することを特徴とする請求項１、２又は３記載の携帯端末。
【請求項５】
前記キーボード画像は複数の機能キー画像を含むものであり、
前記入力制御手段は、前記操作判定手段から前記指示画像に対する前記第二操作が行われた旨の信号が送られたときに、前記カーソルが現在、機能キー画像を指し示していれば、当該機能キー画像に付与された機能を実現するための処理を実行することを特徴とする請求項１、２、３又は４記載の携帯端末。
【請求項６】
前記入力制御手段は、ユーザが前記キーボード画像上の機能キー画像を直接指で触れたときに、当該機能キー画像に付与された機能を実現するための処理を実行することを特徴とする請求項５記載の携帯端末。
【請求項７】
前記入力制御手段は、ユーザが前記キーボード画像上の文字キー画像を直接指で触れたときに、その触れた文字キー画像に対する文字の入力を制御することを特徴とする請求項１、２、３、４、５又は６記載の携帯端末。
【請求項８】
前記カーソル表示制御手段は、前記キーボード画像上で前記カーソルの移動を制御する際、前記カーソルをキー画像単位で移動させることを特徴とする請求項１、２、３、４、５、６又は７記載の携帯端末。
【請求項９】
携帯端末の裏面には前記表示手段とは別にタッチパネル付きの小型の表示手段が設けられ、前記指示画像は前記小型の表示手段の画面上における所定の表示領域に表示され、
前記指示画像制御手段は、前記指示画像を前記小型の表示手段の画面上における所定の表示領域に表示する制御を行い、
前記記憶手段には、前記小型の表示手段の画面上における所定の表示領域に前記指示画像を表示するための前記指示画像表示領域情報が記憶され、
前記位置検知手段は、前記小型の表示手段の画面に対して接触操作が行われたときにその接触した位置を検知し、その検知した位置を示す接触位置情報を出力することを特徴とする請求項１、２、３、４、５、６、７又は８記載の携帯端末。
【請求項１０】
前記キーボード画像の略中央位置をカーソルの基準位置とし、前記カーソル表示制御手段は、文字の入力を行っている際に、予め定めた一定時間、前記指示画像が操作されなかったと判断したときに、或いは、前記指示画像に対して予め定めた操作がなされたと判断したときに、前記カーソルを前記基準位置に復帰させることを特徴とする請求項１乃至９の何れか１項記載の携帯端末。
【請求項１１】
複数の文字キー画像を含むキーボード画像を有する文字入力画面をタッチパネル付きの表示手段の画面上に表示し、前記キーボード画像の文字キー画像を利用して文字の入力を行う文字入力機能を有する携帯端末において、
前記表示手段の画面上における所定の表示領域に表示された、前記文字入力画面に表示される第一カーソルについての移動方向を指示すると共に前記第一カーソルが前記キーボード画像上で現在指し示しているキー画像の選択を指示するための第一指示画像と、前記表示手段の画面上における所定の表示領域に表示された、前記文字入力画面に表示される第二カーソルについての移動方向を指示すると共に前記第二カーソルが前記キーボード画像上で現在指し示しているキー画像の選択を指示するための第二指示画像とについてその表示を制御する指示画像表示制御手段と、
前記表示手段の画面上における所定の表示領域に前記第一指示画像を表示するための第一指示画像表示領域情報及び前記表示手段の画面上における所定の表示領域に前記第二指示画像を表示するための第二指示画像表示領域情報を記憶する記憶手段と、
前記表示手段の画面に対して接触操作が行われたときにその接触した位置を検知し、その検知した位置を示す接触位置情報を出力する位置検知手段と、
前記位置検知手段から接触位置情報が送られたときに、当該接触位置情報及び前記記憶手段に記憶されている指示画像表示領域情報に基づいて、前記第一カーソルの移動方向を指示する第一操作が前記第一指示画像に対して行われたかどうか、前記第一カーソルが前記キーボード画像上で指し示しているキー画像の選択を指示する第二操作が前記第一指示画像に対して行われたかどうか、前記第二カーソルの移動方向を指示する第三操作が前記第二指示画像に対して行われたかどうか、前記第二カーソルが前記キーボード画像上で指し示しているキー画像の選択を指示する第四操作が前記第二指示画像に対して行われたかどうかを判断し、前記第一指示画像又は前記第二指示画像に対する前記各操作が行われたと判断したときに、当該指示画像に対する当該操作が行われた旨の信号を出力する操作判定手段と、
前記操作判定手段から前記第一指示画像に対する前記第一操作が行われた旨の信号が送られたときに、当該第一操作によって指示された方向に前記第一カーソルが移動するように前記文字入力画面上での前記第一カーソルの移動を制御し、前記操作判定手段から前記第二指示画像に対する前記第三操作が行われた旨の信号が送られたときに、当該第三操作によって指示された方向に前記第二カーソルが移動するように前記文字入力画面上での前記第二カーソルの移動を制御するカーソル表示制御手段と、
前記操作判定手段から前記第一指示画像に対する前記第二操作が行われた旨の信号が送られたときに、前記第一カーソルが現在、文字キー画像を指し示していれば、当該文字キー画像と対応付けられた文字の入力を制御し、前記操作判定手段から前記第二指示画像に対する前記第四操作が行われた旨の信号が送られたときに、前記第二カーソルが現在、文字キー画像を指し示していれば、当該文字キー画像と対応付けられた文字の入力を制御する入力制御手段と、
を備え、
前記第一指示画像は、前記第一カーソルについての移動方向を指示するための一つ又は複数の移動方向指示部と、前記第一カーソルが前記キーボード画像上で現在指し示しているキー画像の選択を指示するための選択指示部とを有し、前記第二指示画像は、前記第二カーソルについての移動方向を指示するための一つ又は複数の移動方向指示部と、前記第二カーソルが前記キーボード画像上で現在指し示しているキー画像の選択を指示するための選択指示部とを有し、
前記第一操作は前記第一指示画像の前記各移動方向指示部を接触する操作であり、前記第二操作は前記第一指示画像の前記選択指示部を接触する操作であり、前記第三操作は前記第二指示画像の前記各移動方向指示部を接触する操作であり、前記第四操作は前記第二指示画像の前記選択指示部を接触する操作であることを特徴とする携帯端末。
【請求項１２】
前記指示画像表示制御手段は、所定の設定画面を用いて前記第一指示画像の表示領域又は前記第二指示画像の表示領域についてその表示位置、大きさ又は形状の変更が指示されたときに、その指示された内容にしたがって前記表示手段の画面上における当該指示画像の表示領域を変更することを特徴とする請求項１１記載の携帯端末。
【請求項１３】
前記操作判定手段は、前記位置検知手段から接触位置情報が送られたときに、当該接触位置情報及び前記記憶手段に記憶されている指示画像表示領域情報に基づいて、前記第一指示画像又は前記第二指示画像を一定時間以上長押しした後にドラッグする操作が行われたかどうかを判断し、前記第一指示画像又は前記第二指示画像を一定時間以上長押しした後にドラッグする操作が行われたと判断したときに、当該指示画像に対して長押し操作の後に所定の方向に沿ってドラッグ操作が行われた旨の信号を出力し、
前記指示画像表示制御手段は、前記操作判定手段から前記第一指示画像又は前記第二指示画像に対して長押し操作の後に所定の方向に沿ってドラッグ操作が行われた旨の信号が送られたときに、当該方向に当該指示画像の表示位置が移動するように前記表示手段の画面上における当該指示画像の表示位置を制御することを特徴とする請求項１１又は１２記載の携帯端末。
【請求項１４】
前記操作判定手段は、前記位置検知手段から接触位置情報が送られたときに、当該接触位置情報及び前記記憶手段に記憶されている指示画像表示領域情報に基づいて、前記第一指示画像又は前記第二指示画像をピンチインする操作又はピンチアウトする操作が行われたかどうかを判断し、前記第一指示画像又は前記第二指示画像をピンチインする操作が行われたと判断したときに、当該指示画像に対してピンチイン操作が行われた旨の信号を出力し、前記第一指示画像又は前記第二指示画像をピンチアウトする操作が行われたと判断したときに、当該指示画像に対してピンチアウト操作が行われた旨の信号を出力し、
前記指示画像表示制御手段は、前記操作判定手段から前記第一指示画像又は前記第二指示画像に対してピンチイン操作が行われた旨の信号が送られたときに、前記表示手段の画面上における当該指示画像の大きさを縮小し、前記操作判定手段から前記第一指示画像又は前記第二指示画像に対してピンチアウト操作が行われた旨の信号が送られたときに、前記表示手段の画面上における当該指示画像の大きさを拡大することを特徴とする請求項１１、１２又は１３記載の携帯端末。
【請求項１５】
前記キーボード画像は複数の機能キー画像を含むものであり、
前記入力制御手段は、前記操作判定手段から前記第一指示画像に対する前記第二操作が行われた旨の信号が送られたときに、前記第一カーソルが現在、機能キー画像を指し示していれば、当該機能キー画像に付与された機能を実現するための処理を実行し、前記操作判定手段から前記第二指示画像に対する前記第四操作が行われた旨の信号が送られたときに、前記第二カーソルが現在、機能キー画像を指し示していれば、当該機能キー画像に付与された機能を実現するための処理を実行することを特徴とする請求項１１、１２、１３又は１４記載の携帯端末。
【請求項１６】
前記入力制御手段は、ユーザが前記キーボード画像上の機能キー画像を直接指で触れたときに、当該機能キー画像に付与された機能を実現するための処理を実行することを特徴とする請求項１５記載の携帯端末。
【請求項１７】
前記入力制御手段は、ユーザが前記キーボード画像上の文字キー画像を直接指で触れたときに、その触れた文字キー画像に対する文字の入力を制御することを特徴とする請求項１１、１２、１３、１４、１５又は１６記載の携帯端末。
【請求項１８】
前記第一カーソルと前記第二カーソルとでは、形状、色、内側に引いた線、模様の各要素のうち少なくとも一つの要素が異なっていることを特徴とする請求項１１、１２、１３、１４、１５、１６又は１７記載の携帯端末。
【請求項１９】
前記カーソル表示制御手段は、前記キーボード画像上で前記第一カーソル及び前記第二カーソルの移動を制御する際、当該カーソルをキー画像単位で移動させることを特徴とする請求項１１乃至１８の何れか１項記載の携帯端末。
【請求項２０】
携帯端末の裏面には前記表示手段とは別にタッチパネル付きの小型の表示手段が設けられ、前記第一指示画像及び前記第二指示画像はそれぞれ前記小型の表示手段の画面上における所定の表示領域に表示され、
前記指示画像制御手段は、前記第一指示画像及び前記第二指示画像をそれぞれ前記小型の表示手段の画面上における所定の表示領域に表示する制御を行い、
前記記憶手段には、前記小型の表示手段の画面上における所定の表示領域に前記第一指示画像を表示するための前記第一指示画像表示領域情報、及び、前記小型の表示手段の画面上における所定の表示領域に前記第二指示画像を表示するための前記第二指示画像表示領域情報が記憶され、
前記位置検知手段は、前記小型の表示手段の画面に対して接触操作が行われたときにその接触した位置を検知し、その検知した位置を示す接触位置情報を出力することを特徴とする請求項１１乃至１９の何れか１項記載の携帯端末。
【請求項２１】
前記キーボード画像を左右の二つに区分したときの各キーボード画像の略中央位置をカーソルの基準位置とし、前記カーソル表示制御手段は、文字の入力を行っている際に、予め定めた一定時間、前記第一指示画像が操作されなかったと判断したときに、或いは、前記第一指示画像及び／又は前記第二指示画像に対して予め定めた操作がなされたと判断したときに、前記第一カーソルを前記基準位置の一方に復帰させ、また予め定めた一定時間、前記第二指示画像が操作されなかったと判断したときに、或いは、前記第一指示画像及び／又は前記第二指示画像に対して予め定めた操作がなされたと判断したときに、前記第二カーソルを前記基準位置の他方に復帰させることを特徴とする請求項１１乃至２０の何れか１項記載の携帯端末。
【請求項２２】
前記表示手段の画面上における所定の表示領域に表示される前記キーボード画像の表示を制御するキーボード画像表示制御手段を備え、
前記記憶手段には、前記表示手段の画面上における所定の表示領域に前記キーボード画像を表示するためのキーボード表示領域情報が記憶されており、
前記操作判定手段は、前記位置検知手段から接触位置情報が送られたときに、当該接触位置情報及び前記記憶手段に記憶されているキーボード画像表示領域情報に基づいて、前記キーボード画像を一定時間以上長押しした後にドラッグする操作が行われたかどうかを判断し、前記キーボード画像を一定時間以上長押しした後にドラッグする操作が行われたと判断したときに、前記キーボード画像に対して長押し操作の後に所定の方向に沿ってドラッグ操作が行われた旨の信号を出力し、
前記キーボード画像表示制御手段は、前記操作判定手段から前記キーボード画像に対して長押し操作の後に所定の方向に沿ってドラッグ操作が行われた旨の信号が送られたときに、当該方向に前記キーボード画像の表示位置が移動するように前記表示手段の画面上における前記キーボード画像の表示位置を制御することを特徴とする請求項１乃至２１の何れか１項記載の携帯端末。
【請求項２３】
前記操作判定手段は、前記位置検知手段から接触位置情報が送られたときに、当該接触位置情報及び前記記憶手段に記憶されている前記キーボード表示領域情報に基づいて、前記キーボード画像をピンチインする操作又はピンチアウトする操作が行われたかどうかを判断し、前記キーボード画像をピンチインする操作が行われたと判断したときに、前記キーボード画像に対してピンチイン操作が行われた旨の信号を出力し、前記キーボード画像をピンチアウトする操作が行われたと判断したときに、前記キーボード画像に対してピンチアウト操作が行われた旨の信号を出力し、
前記キーボード画像表示制御手段は、前記操作判定手段から前記キーボード画像に対してピンチイン操作が行われた旨の信号が送られたときに、前記表示手段の画面上における前記キーボード画像の大きさを縮小し、前記操作判定手段から前記キーボード画像に対してピンチアウト操作が行われた旨の信号が送られたときに、前記表示手段の画面上における前記キーボード画像の大きさを拡大することを特徴とする請求項２２記載の携帯端末。
【発明の詳細な説明】
【技術分野】
【０００１】
本発明は、文字入力機能を有する、携帯電話、スマートフォン、携帯情報端末（ＰＤＡ）、タブレット端末等の携帯端末に関するものである。
【背景技術】
【０００２】
携帯端末、例えば携帯電話では、多くのユーザはその携帯電話を一方の手で保持し、その保持する手の親指でカーソル移動指示ボタンや文字入力ボタンを操作して、文字の入力を行っている（例えば、特許文献１参照。）。
【先行技術文献】
【特許文献】
【０００３】
【特許文献１】特開２００３−５８３０５号公報
【発明の概要】
【発明が解決しようとする課題】
【０００４】
しかしながら、カーソル移動指示ボタンや文字入力ボタンは携帯電話の所定の位置に設けられており、これらボタンの位置が変更できないため、特に手や指の大きな又は小さな人にとってはボタン操作がしにくいという問題があった。また、これら機械式のボタンは表示画面の周囲等に設けられているため、携帯電話の小型化を図るのが困難であるという問題があった。
【０００５】
本発明は上記事情に基づいてなされたものであり、文字の入力作業の際の操作性の向上を図ることができると共に、小型化を図ることができる携帯端末を提供することを目的とするものである。
【課題を解決するための手段】
【０００６】
上記の目的を達成するための第一発明は、複数の文字キー画像を含むキーボード画像を有する文字入力画面をタッチパネル付きの表示手段の画面上に表示し、キーボード画像の文字キー画像を利用して文字の入力を行う文字入力機能を有する携帯端末において、表示手段の画面上における所定の表示領域に表示された、文字入力画面に表示されるカーソルについての移動方向を指示すると共にカーソルがキーボード画像上で現在指し示しているキー画像の選択を指示するための指示画像の表示を制御する指示画像表示制御手段と、表示手段の画面上における所定の表示領域に指示画像を表示するための指示画像表示領域情報を記憶する記憶手段と、表示手段の画面に対して接触操作が行われたときにその接触した位置を検知し、その検知した位置を示す接触位置情報を出力する位置検知手段と、位置検知手段から接触位置情報が送られたときに、当該接触位置情報及び記憶手段に記憶されている指示画像表示領域情報に基づいて、カーソルの移動方向を指示する第一操作が指示画像に対して行われたどうか、カーソルがキーボード画像上で指し示しているキー画像の選択を指示する第二操作が指示画像に対して行われたかどうかを判断し、指示画像に対する各操作が行われたと判断したときに、指示画像に対する当該操作が行われた旨の信号を出力する操作判定手段と、操作判定手段から指示画像に対する第一操作が行われた旨の信号が送られたときに、当該第一操作によって指示された方向にカーソルが移動するように文字入力画面上でのカーソルの移動を制御するカーソル表示制御手段と、操作判定手段から指示画像に対する第二操作が行われた旨の信号が送られたときに、カーソルが現在、文字キー画像を指し示していれば、当該文字キー画像と対応付けられた文字の入力を制御する入力制御手段と、を備えることを特徴とするものである。
【０００７】
ここで、例えば、第一操作としては指示画像をフリックする操作又はドラッグする操作を、第二操作としては指示画像をタップする操作を採用することができる。また、指示画像が、カーソルについての移動方向を指示するための一つ又は複数の移動方向指示部と、カーソルがキーボード画像上で現在指し示しているキー画像の選択を指示するための選択指示部とを有するものである場合には、第一操作としては指示画像の各移動方向指示部を接触する操作を、第二操作としては指示画像の選択指示部を接触する操作を採用することができる。尚、フリックする操作とは、タッチパネルを弾くように指で払う操作をいい、ドラッグする操作とは、タッチパネルを指でなぞる操作をいい、タップする操作とは、指で画面を軽く叩く操作をいう。
【０００８】
第一発明の携帯端末では、文字入力画面にカーソルを表示し、カーソルの移動方向を指示すると共にカーソルがキーボード画像上で現在指し示しているキー画像の選択を指示するための指示画像を、表示手段の画面上に表示している。この指示画像は表示手段の画面上のどこにでも表示可能であり、したがって、指示画像をユーザの操作しやすい位置に配置することができるので、文字の入力作業の際の操作性の向上を図ることができる。また、従来の携帯電話で用いられていた、カーソルを操作するための機械式の指示ボタンを表示画面の周囲に設ける必要がないので、携帯端末の小型化を図ることができる。
【０００９】
また、第一発明の携帯端末において、指示画像表示制御手段は、所定の設定画面を用いて指示画像の表示領域についてその表示位置、大きさ又は形状の変更が指示されたときに、その指示された内容にしたがって表示手段の画面上における指示画像の表示領域を変更することができる。これにより、ユーザは、指示画像の表示領域を自分が操作しやすい位置に、或いは自分が操作しやすい大きさ・形状にいつでも変更することができる。
【００１０】
また、第一発明の携帯端末において、操作判定手段は、位置検知手段から接触位置情報が送られたときに、当該接触位置情報及び記憶手段に記憶されている指示画像表示領域情報に基づいて、指示画像を一定時間以上長押しした後にドラッグする操作が行われたかどうかを判断し、指示画像を一定時間以上長押しした後にドラッグする操作が行われたと判断したときに、指示画像に対して長押し操作の後に所定の方向に沿ってドラッグ操作が行われた旨の信号を出力し、指示画像表示制御手段は、操作判定手段から指示画像に対して長押し操作の後に所定の方向に沿ってドラッグ操作が行われた旨の信号が送られたときに、当該方向に指示画像の表示位置が移動するように表示手段の画面上における指示画像の表示位置を制御することができる。これにより、ユーザは、指示画像の表示位置をいつでも容易に変更することができる。
【００１１】
更に、第一発明の携帯端末において、操作判定手段は、位置検知手段から接触位置情報が送られたときに、当該接触位置情報及び記憶手段に記憶されている指示画像表示領域情報に基づいて、指示画像をピンチインする操作又はピンチアウトする操作が行われたかどうかを判断し、指示画像をピンチインする操作が行われたと判断したときに、指示画像に対してピンチイン操作が行われた旨の信号を出力し、指示画像をピンチアウトする操作が行われたと判断したときに、指示画像に対してピンチアウト操作が行われた旨の信号を出力し、指示画像表示制御手段は、操作判定手段から指示画像に対してピンチイン操作が行われた旨の信号が送られたときに、表示手段の画面上における指示画像の大きさを縮小し、操作判定手段から指示画像に対してピンチアウト操作が行われた旨の信号が送られたときに、表示手段の画面上における指示画像の大きさを拡大することができる。これにより、ユーザは、指示画像の表示領域の大きさをいつでも容易に変更することができる。尚、ピンチインする操作とは、二本の指で画面を押さえながら指の間隔を狭める操作をいい、ピンチアウトする操作とは、二本の指で画面を押さえながら指の間隔を広げる操作をいう。
【００１２】
また、第一発明の携帯端末において、キーボード画像は複数の機能キー画像を含むものであり、入力制御手段は、操作判定手段から指示画像に対する第二操作が行われた旨の信号が送られたときに、カーソルが現在、機能キー画像を指し示していれば、当該機能キー画像に付与された機能を実現するための処理を実行することが望ましい。これにより、ユーザは、手の親指等を用いて指示画像に対する操作を行って、所望の機能キー画像を迅速に選択することができる。
【００１３】
また、第一発明の携帯端末において、入力制御手段は、ユーザがキーボード画像上の機能キー画像を直接指で触れたときに、当該機能キー画像に付与された機能を実現するための処理を実行するようにしてもよい。これにより、ユーザは、カーソルを用いた機能キーの選択方法とタッチパネルによる機能キーの選択方法とを併用して、機能キーに付与された機能の実現を指示することができる。
【００１４】
更に、第一発明の携帯端末において、入力制御手段は、ユーザがキーボード画像上の文字キー画像を直接指で触れたときに、その触れた文字キー画像に対する文字の入力を制御するようにしてもよい。これにより、ユーザは、カーソルを用いた文字入力方法とタッチパネルによる文字入力方法とを併用して、文字の入力を行うことができる。
【００１５】
加えて、第一発明の携帯端末において、カーソル表示制御手段は、キーボード画像上でカーソルの移動を制御する際、カーソルをキー画像単位で移動させるようにしてもよい。これにより、ユーザはキーボード画像上でカーソルを所望のキー画像のところに移動させる操作を簡単に且つ正確に行うことができるので、操作ミスを少なくすることができる。
【００１６】
また、第一発明の携帯端末において、携帯端末の裏面には表示手段とは別にタッチパネル付きの小型の表示手段が設けられ、指示画像は小型の表示手段の画面上における所定の表示領域に表示され、指示画像制御手段は、指示画像を小型の表示手段の画面上における所定の表示領域に表示する制御を行い、記憶手段には、小型の表示手段の画面上における所定の表示領域に指示画像を表示するための指示画像表示領域情報が記憶され、位置検知手段は、小型の表示手段の画面に対して接触操作が行われたときにその接触した位置を検知し、その検知した位置を示す接触位置情報を出力するようにしてもよい。これにより、ユーザは携帯端末の表側の表示手段に表示される指示画像だけでなく、裏側の小型の表示手段に表示される指示画像を用いてカーソルの操作を行うことができるので、使い勝手の向上を図ることができる。
【００１７】
更に、第一発明の携帯端末において、キーボード画像の略中央位置をカーソルの基準位置とし、カーソル表示制御手段は、文字の入力を行っている際に、予め定めた一定時間、指示画像が操作されなかったと判断したときに、或いは、指示画像に対して予め定めた操作がなされたと判断したときに、カーソルを基準位置に復帰させるようにしてもよい。これにより、指示画像が予め設定した一定時間操作されなかったときに、或いは、指示画像を用いてカーソルを基準位置に復帰させるための操作がなされたときに、カーソルをその基準位置に復帰させることができる。したがって、この第一発明では、ユーザはカーソルを基準位置に復帰させることによってカーソルの位置を容易且つ迅速に認識することができ、またカーソルを基準位置から所望のキー画像に短い移動距離で移動することができるので、文字入力を効率よく行うことができる。
【００１８】
また、上記の目的を達成するための第二発明は、複数の文字キー画像を含むキーボード画像を有する文字入力画面をタッチパネル付きの表示手段の画面上に表示し、キーボード画像の文字キー画像を利用して文字の入力を行う文字入力機能を有する携帯端末において、表示手段の画面上における所定の表示領域に表示された、文字入力画面に表示される第一カーソルについての移動方向を指示すると共に第一カーソルがキーボード画像上で現在指し示しているキー画像の選択を指示するための第一指示画像と、表示手段の画面上における所定の表示領域に表示された、文字入力画面に表示される第二カーソルについての移動方向を指示すると共に第二カーソルがキーボード画像上で現在指し示しているキー画像の選択を指示するための第二指示画像とについてその表示を制御する指示画像表示制御手段と、表示手段の画面上における所定の表示領域に第一指示画像を表示するための第一指示画像表示領域情報及び表示手段の画面上における所定の表示領域に第二指示画像を表示するための第二指示画像表示領域情報を記憶する記憶手段と、表示手段の画面に対して接触操作が行われたときにその接触した位置を検知し、その検知した位置を示す接触位置情報を出力する位置検知手段と、位置検知手段から接触位置情報が送られたときに、当該接触位置情報及び記憶手段に記憶されている指示画像表示領域情報に基づいて、第一カーソルの移動方向を指示する第一操作が第一指示画像に対して行われたかどうか、第一カーソルがキーボード画像上で指し示しているキー画像の選択を指示する第二操作が第一指示画像に対して行われたかどうか、第二カーソルの移動方向を指示する第三操作が第二指示画像に対して行われたかどうか、第二カーソルがキーボード画像上で指し示しているキー画像の選択を指示する第四操作が第二指示画像に対して行われたかどうかを判断し、第一指示画像又は第二指示画像に対する各操作が行われたと判断したときに、当該指示画像に対する当該操作が行われた旨の信号を出力する操作判定手段と、操作判定手段から第一指示画像に対する第一操作が行われた旨の信号が送られたときに、当該第一操作によって指示された方向に第一カーソルが移動するように文字入力画面上での第一カーソルの移動を制御し、操作判定手段から第二指示画像に対する第三操作が行われた旨の信号が送られたときに、当該第三操作によって指示された方向に第二カーソルが移動するように文字入力画面上での第二カーソルの移動を制御するカーソル表示制御手段と、操作判定手段から第一指示画像に対する第二操作が行われた旨の信号が送られたときに、第一カーソルが現在、文字キー画像を指し示していれば、当該文字キー画像と対応付けられた文字の入力を制御し、操作判定手段から第二指示画像に対する第四操作が行われた旨の信号が送られたときに、第二カーソルが現在、文字キー画像を指し示していれば、当該文字キー画像と対応付けられた文字の入力を制御する入力制御手段と、を備えることを特徴とするものである。
【００１９】
ここで、例えば、第一操作としては第一指示画像をフリックする操作又はドラッグする操作を、第二操作としては第一指示画像をタップする操作を、第三操作としては第二指示画像をフリックする操作又はドラッグする操作を、そして、第四操作としては第二指示画像をタップする操作を採用することができる。また、第一指示画像が、第一カーソルについての移動方向を指示するための一つ又は複数の移動方向指示部と、第一カーソルがキーボード画像上で現在指し示しているキー画像の選択を指示するための選択指示部とを有するものであり、第二指示画像が、第二カーソルについての移動方向を指示するための一つ又は複数の移動方向指示部と、第二カーソルがキーボード画像上で現在指し示しているキー画像の選択を指示するための選択指示部とを有するものである場合には、第一操作としては第一指示画像の各移動方向指示部を接触する操作を、第二操作としては第一指示画像の選択指示部を接触する操作を、第三操作としては第二指示画像の各移動方向指示部を接触する操作を、そして、第四操作としては第二指示画像の選択指示部を接触する操作を採用することができる。
【００２０】
第二発明の携帯端末では、文字入力画面に第一カーソル及び第二カーソルを表示し、第一カーソルの移動方向を指示すると共に第一カーソルがキーボード画像上で現在指し示しているキー画像の選択を指示するための第一指示画像と、第二カーソルの移動方向を指示すると共に第二カーソルがキーボード画像上で現在指し示しているキー画像の選択を指示するための第二指示画像とをそれぞれ、表示手段の画面上に表示している。これら第一指示画像及び第二指示画像は表示手段の画面上のどこにでも表示可能であり、したがって、第一指示画像及び第二指示画像をユーザの操作しやすい位置に配置することができるので、文字の入力作業の際の操作性の向上を図ることができる。また、従来の携帯電話で用いられていた、カーソルを操作するための機械式の指示ボタンを表示画面の周囲に設ける必要がないので、携帯端末の小型化を図ることができる。
【００２１】
また、第一指示画像及び第二指示画像をそれぞれ、当該携帯端末の端部の近傍における表示手段の画面上の所定の領域に表示すれば、ユーザは、文字入力に際して、第一指示画像の表示領域の近くの携帯端末の端部と第二指示画像の表示領域の近くの携帯端末の端部とをそれぞれの手で掴むことになるので、携帯端末を両手で安定して保持することができる。また、このように携帯端末を両手で保持した状態のまま、ユーザは、それぞれの手の親指等を用いて第一指示画像、第二指示画像を操作することができるので、入力作業を迅速且つ正確に行うことができる。
【００２２】
また、第二発明の携帯端末において、指示画像表示制御手段は、所定の設定画面を用いて第一指示画像の表示領域又は第二指示画像の表示領域についてその表示位置、大きさ又は形状の変更が指示されたときに、その指示された内容にしたがって表示手段の画面上における当該指示画像の表示領域を変更することができる。これにより、ユーザは、第一指示画像の表示領域と第二指示画像の表示領域とを自分が操作しやすい位置に、或いは自分が操作しやすい大きさ・形状にいつでも変更することができる。
【００２３】
また、第二発明の携帯端末において、操作判定手段は、位置検知手段から接触位置情報が送られたときに、当該接触位置情報及び記憶手段に記憶されている指示画像表示領域情報に基づいて、第一指示画像又は第二指示画像を一定時間以上長押しした後にドラッグする操作が行われたかどうかを判断し、第一指示画像又は第二指示画像を一定時間以上長押しした後にドラッグする操作が行われたと判断したときに、当該指示画像に対して長押し操作の後に所定の方向に沿ってドラッグ操作が行われた旨の信号を出力し、指示画像表示制御手段は、操作判定手段から第一指示画像又は第二指示画像に対して長押し操作の後に所定の方向に沿ってドラッグ操作が行われた旨の信号が送られたときに、当該方向に当該指示画像の表示位置が移動するように表示手段の画面上における当該指示画像の表示位置を制御することができる。これにより、ユーザは、各指示画像の表示位置をいつでも容易に変更することができる。
【００２４】
更に、第二発明の携帯端末において、操作判定手段は、位置検知手段から接触位置情報が送られたときに、当該接触位置情報及び記憶手段に記憶されている指示画像表示領域情報に基づいて、第一指示画像又は第二指示画像をピンチインする操作又はピンチアウトする操作が行われたかどうかを判断し、第一指示画像又は第二指示画像をピンチインする操作が行われたと判断したときに、当該指示画像に対してピンチイン操作が行われた旨の信号を出力し、第一指示画像又は第二指示画像をピンチアウトする操作が行われたと判断したときに、当該指示画像に対してピンチアウト操作が行われた旨の信号を出力し、指示画像表示制御手段は、操作判定手段から第一指示画像又は第二指示画像に対してピンチイン操作が行われた旨の信号が送られたときに、表示手段の画面上における当該指示画像の大きさを縮小し、操作判定手段から第一指示画像又は第二指示画像に対してピンチアウト操作が行われた旨の信号が送られたときに、表示手段の画面上における当該指示画像の大きさを拡大することができる。これにより、ユーザは、第一指示画像及び第二指示画像についてその表示領域の大きさをいつでも容易に変更することができる。
【００２５】
また、第二発明の携帯端末において、キーボード画像は複数の機能キー画像を含むものであり、入力制御手段は、操作判定手段から第一指示画像に対する第二操作が行われた旨の信号が送られたときに、第一カーソルが現在、機能キー画像を指し示していれば、当該機能キー画像に付与された機能を実現するための処理を実行し、操作判定手段から第二指示画像に対する第四操作が行われた旨の信号が送られたときに、第二カーソルが現在、機能キー画像を指し示していれば、当該機能キー画像に付与された機能を実現するための処理を実行することが望ましい。これにより、ユーザは、携帯端末を両手で保持した状態のまま、それぞれの手の親指等を用いて第一指示画像、第二指示画像に対する操作を行って、所望の機能キー画像を迅速に選択することができる。
【００２６】
また、第二発明の携帯端末において、入力制御手段は、ユーザがキーボード画像上の機能キー画像を直接指で触れたときに、当該機能キー画像に付与された機能を実現するための処理を実行するようにしてもよい。これにより、ユーザは、カーソルを用いた機能キーの選択方法とタッチパネルによる機能キーの選択方法とを併用して、機能キーに付与された機能の実現を指示することができる。
【００２７】
更に、第二発明の携帯端末において、入力制御手段は、ユーザがキーボード画像上の文字キー画像を直接指で触れたときに、その触れた文字キー画像に対する文字の入力を制御するようにしてもよい。これにより、ユーザは、カーソルを用いた文字入力方法とタッチパネルによる文字入力方法とを併用して、文字の入力を行うことができる。
【００２８】
また、第二発明の携帯端末において、第一カーソルと第二カーソルとでは、形状、色、内側に引いた線、模様の各要素のうち少なくとも一つの要素が異なっていることが望ましい。これにより、ユーザは、文字入力画面に表示される各カーソルが、当該異なる要素に基づいて、第一指示画像及び第二指示画像のうちいずれの指示画像に対応するものであるかを容易に判断することができる。
【００２９】
更に、第二発明の携帯端末において、カーソル表示制御手段は、キーボード画像上で第一カーソル及び第二カーソルの移動を制御する際、当該カーソルをキー画像単位で移動させるようにしてもよい。これにより、ユーザはキーボード画像上で各カーソルを所望のキー画像のところに移動させる操作を簡単に且つ正確に行うことができるので、操作ミスを少なくすることができる。
【００３０】
また、第二発明の携帯端末において、携帯端末の裏面には表示手段とは別にタッチパネル付きの小型の表示手段が設けられ、第一指示画像及び第二指示画像はそれぞれ小型の表示手段の画面上における所定の表示領域に表示され、指示画像制御手段は、第一指示画像及び第二指示画像をそれぞれ小型の表示手段の画面上における所定の表示領域に表示する制御を行い、記憶手段には、小型の表示手段の画面上における所定の表示領域に第一指示画像を表示するための第一指示画像表示領域情報、及び、小型の表示手段の画面上における所定の表示領域に第二指示画像を表示するための第二指示画像表示領域情報が記憶され、位置検知手段は、小型の表示手段の画面に対して接触操作が行われたときにその接触した位置を検知し、その検知した位置を示す接触位置情報を出力するようにしてもよい。これにより、ユーザは携帯端末の表側の表示手段に表示される第一指示画像及び第二指示画像だけでなく、裏側の小型の表示手段に表示される第一指示画像及び第二指示画像を用いて第一カーソル及び第二カーソルの操作を行うことができるので、使い勝手の向上を図ることができる。
【００３１】
更に、第二発明の携帯端末において、キーボード画像を左右の二つに区分したときの各キーボード画像の略中央位置をカーソルの基準位置とし、カーソル表示制御手段は、文字の入力を行っている際に、予め定めた一定時間、第一指示画像が操作されなかったと判断したときに、或いは、第一指示画像及び／又は第二指示画像に対して予め定めた操作がなされたと判断したときに、第一カーソルを基準位置の一方に復帰させ、また予め定めた一定時間、第二指示画像が操作されなかったと判断したときに、或いは、第一指示画像及び／又は第二指示画像に対して予め定めた操作がなされたと判断したときに、第二カーソルを基準位置の他方に復帰させるようにしてもよい。これにより、第一指示画像又は第二指示画像が予め設定した一定時間操作されなかったときに、或いは、各指示画像を用いて各カーソルを基準位置に復帰させるための操作がなされたときに、対応するカーソルをその基準位置に復帰させることができる。したがって、この第二発明では、ユーザは各カーソルを基準位置に復帰させることによって当該カーソルの位置を容易且つ迅速に認識することができ、また各カーソルを基準位置から所望のキー画像に短い移動距離で移動することができるので、文字入力を効率よく行うことができる。
【００３２】
また、第一発明の携帯端末又は第二の発明の携帯端末において、表示手段の画面上における所定の表示領域に表示されるキーボード画像の表示を制御するキーボード画像表示制御手段を備え、記憶手段には、表示手段の画面上における所定の表示領域にキーボード画像を表示するためのキーボード表示領域情報が記憶されており、操作判定手段は、位置検知手段から接触位置情報が送られたときに、当該接触位置情報及び記憶手段に記憶されているキーボード画像表示領域情報に基づいて、キーボード画像を一定時間以上長押しした後にドラッグする操作が行われたかどうかを判断し、キーボード画像を一定時間以上長押しした後にドラッグする操作が行われたと判断したときに、キーボード画像に対して長押し操作の後に所定の方向に沿ってドラッグ操作が行われた旨の信号を出力し、キーボード画像表示制御手段は、操作判定手段からキーボード画像に対して長押し操作の後に所定の方向に沿ってドラッグ操作が行われた旨の信号が送られたときに、当該方向にキーボード画像の表示位置が移動するように表示手段の画面上におけるキーボード画像の表示位置を制御するようにしてもよい。これにより、ユーザは一定時間以上の長押し操作とドラッグ操作の組合せにより、表示手段の画面上におけるキーボード画像の表示位置をいつでも容易に変更することができる。
【００３３】
更に、第一発明の携帯端末又は第二の発明の携帯端末において、操作判定手段は、位置検知手段から接触位置情報が送られたときに、当該接触位置情報及び記憶手段に記憶されているキーボード表示領域情報に基づいて、キーボード画像をピンチインする操作又はピンチアウトする操作が行われたかどうかを判断し、キーボード画像をピンチインする操作が行われたと判断したときに、キーボード画像に対してピンチイン操作が行われた旨の信号を出力し、キーボード画像をピンチアウトする操作が行われたと判断したときに、キーボード画像に対してピンチアウト操作が行われた旨の信号を出力し、キーボード画像表示制御手段は、操作判定手段からキーボード画像に対してピンチイン操作が行われた旨の信号が送られたときに、表示手段の画面上におけるキーボード画像の大きさを縮小し、操作判定手段からキーボード画像に対してピンチアウト操作が行われた旨の信号が送られたときに、表示手段の画面上におけるキーボード画像の大きさを拡大するようにしてもよい。これにより、ユーザは、キーボード画像の表示領域の大きさをいつでも容易に変更することができる。
【発明の効果】
【００３４】
本発明に係る携帯端末によれば、文字入力画面にカーソルを表示し、カーソルの移動方向を指示すると共にカーソルがキーボード画像上で現在指し示している文字キー画像の選択を指示するための指示画像を、表示手段の画面上に表示したことにより、この指示画像は表示手段の画面上のどこにでも表示可能であり、したがって、指示画像をユーザの操作しやすい位置に配置することができるので、文字の入力作業の際の操作性の向上を図ることができる。また、従来の携帯電話で用いられていた、カーソルを操作するための機械式の指示ボタンを表示画面の周囲に設ける必要がないので、携帯端末の小型化を図ることができる。
【図面の簡単な説明】
【００３５】
【図１】図１は本発明の第一実施形態である携帯端末の概略正面図である。
【図２】図２はその携帯端末の概略ブロック図である。
【図３】図３は文字入力画面の一例を示す図である。
【図４】図４はひらがな５０音配列のキーボード画像の一例を示す図である。
【図５】図５は第一指示画像及び第二指示画像を説明するための図である。
【図６】図６は二つのカーソルの表示態様の例を示す図である。
【図７】図７は第一指示画像についての設定画面の一例を示す図である。
【図８】図８は第一指示画像及び第二指示画像の表示形状の例を示す図である。
【図９】図９は第一指示画像及び第二指示画像の表示位置の例を示す図である。
【図１０】図１０は予めプリセットされた第一指示画像及び第二指示画像の表示位置の例を示す図である。
【図１１】図１１は第二指示画像だけが画面上に表示されている携帯端末の概略正面図である。
【図１２】図１２は第二指示画像だけが画面上に表示されている場合の文字入力画面の例を示す図である。
【図１３】図１３は第二指示画像だけが画面上に表示されている場合にその第二指示画像の表示位置の例を示す図である。
【図１４】図１４は第二指示画像だけが画面上に表示されている場合にその第二指示画像の表示位置の例を示す図である。
【図１５】図１５は第二指示画像だけが画面上に表示されている場合にその第二指示画像の表示位置の例を示す図である。
【図１６】図１６はキーボード画像上で第一カーソル及び第二カーソルがキー単位で移動する場合における第一カーソル及び第二カーソルの表示態様の一例を示す図である。
【図１７】図１７は文字入力作業時における第一実施形態の携帯端末の持ち方及び二つの指示画像の操作の仕方を説明するための図である。
【図１８】図１８は第一指示画像だけを表示した場合における携帯端末の持ち方及び第一指示画像の操作の仕方を説明するための図である。
【図１９】図１９は第二指示画像だけを表示した場合における携帯端末の持ち方及び第二指示画像の操作の仕方を説明するための図である。
【図２０】図２０は携帯端末の持ち方及び指示画像の操作の仕方の他の例を示す図である。
【図２１】図２１は電子メールを作成する場合の処理手順を説明するためのフローチャートである。
【図２２】図２２は電子メールを作成する場合におけるメール送信・作成画面での操作の手順を説明するための図である。
【図２３】図２３は電子メールを作成する場合におけるメール送信・作成画面での操作の手順を説明するための図である。
【図２４】図２４は電子メールを作成する場合におけるメール送信・作成画面での操作の手順を説明するための図である。
【図２５】図２５は制御手段が行うカーソル移動・文字入力処理の手順を説明するためのフローチャートである。
【図２６】図２６は第一実施形態の変形例である携帯端末の概略正面図である。
【図２７】図２７はこの変形例における第一指示画像及び第二指示画像の例を説明するための図である。
【図２８】図２８は本発明の第二実施形態である携帯端末の概略正面図である。
【図２９】図２９は第二実施形態における第一指示画像及び第二指示画像の例を説明するための図である。
【図３０】図３０は漢字ひらがな字入力モードの選択時に表示されるＱＷＥＲＴＹ配列のキーボード画像の例を示す図である
【図３１】図３１は漢字ひらがな字入力モードの選択時に表示されるＱＷＥＲＴＹ配列のキーボード画像の例を示す図である
【図３２】図３２は漢字ひらがな字入力モードの選択時に表示されるＱＷＥＲＴＹ配列のキーボード画像の例を示す図である
【図３３】図３３は半角英字入力モードの選択時に表示されるＱＷＥＲＴＹ配列のキーボード画像の例を示す図である
【図３４】図３４は半角英字入力モードの選択時に表示されるＱＷＥＲＴＹ配列のキーボード画像の例を示す図である
【図３５】図３５は半角英字入力モードの選択時に表示されるＱＷＥＲＴＹ配列のキーボード画像の例を示す図である
【図３６】図３６は半角英字入力モードの選択時に表示されるＱＷＥＲＴＹ配列のキーボード画像の例を示す図である
【図３７】図３７はひらがな５０音配列のキーボード画像の例を示す図である。
【図３８】図３８は第一実施形態の携帯端末を横長の状態にして文字の入力を行う場合に第一指示画像及び第二指示画像の表示位置の例を示す図である。
【図３９】図３９は第一実施形態の携帯端末を横長の状態にして文字の入力を行う場合に第一指示画像及び第二指示画像の表示位置の例を示す図である。
【図４０】図４０は第一実施携帯の携帯端末を横長の状態にして文字の入力を行う場合であって第二指示画像だけが画面上に表示されている場合にその第二指示画像の表示位置の例を示す図である。
【図４１】図４１は第一実施形態の携帯端末を横長の状態にして文字の入力を行う場合であって第二指示画像だけが画面上に表示されている場合にその第二指示画像の表示位置の例を示す図である。
【図４２】図４２は第一実施形態の携帯端末を横長の状態にして文字の入力を行う場合であって第二指示画像だけが画面上に表示されている場合にその第二指示画像の表示位置の例を示す図である。
【図４３】図４３は第一実施形態の携帯端末を横長の状態にして文字の入力を行う場合であって第二指示画像だけが画面上に表示されている場合にその第二指示画像の表示位置の例を示す図である。
【図４４】図４４は二つ折りタイプの縦長状の携帯端末において第一指示画像及び第二指示画像の表示位置の例を示す図である。
【図４５】図４５は二つ折りタイプの縦長状の携帯端末において第一指示画像及び第二指示画像の表示位置の例を示す図である。
【図４６】図４６は二つ折りタイプの縦長状の携帯端末において第二指示画像だけが画面上に表示されている場合にその第二指示画像の表示位置の例を示す図である。
【図４７】図４７は二つ折りタイプの縦長状の携帯端末において第二指示画像だけが画面上に表示されている場合にその第二指示画像の表示位置の例を示す図である。
【図４８】図４８は二つ折りタイプの縦長状の携帯端末において第二指示画像だけが画面上に表示されている場合にその第二指示画像の表示位置の例を示す図である。
【図４９】図４９は二つ折りタイプの縦長状の携帯端末において第二指示画像だけが画面上に表示されている場合にその第二指示画像の表示位置の例を示す図である。
【図５０】図５０は二つ折りタイプの横長状の携帯端末において第一指示画像及び第二指示画像の表示位置の例を示す図である。
【図５１】図５１は二つ折りタイプの横長状の携帯端末において第一指示画像及び第二指示画像の表示位置の例を示す図である。
【図５２】図５２は二つ折りタイプの横長状の携帯端末において第二指示画像だけが画面上に表示されている場合にその第二指示画像の表示位置の例を示す図である。
【図５３】図５３は二つ折りタイプの横長状の携帯端末において第二指示画像だけが画面上に表示されている場合にその第二指示画像の表示位置の例を示す図である。
【図５４】図５４は二つ折りタイプの横長状の携帯端末において第二指示画像だけが画面上に表示されている場合にその第二指示画像の表示位置の例を示す図である。
【図５５】図５５は二つ折りタイプの横長状の携帯端末において第二指示画像だけが画面上に表示されている場合にその第二指示画像の表示位置の例を示す図である。
【図５６】図５６は二つ折りタイプの横長状の携帯端末において第二指示画像だけが画面上に表示されている場合にその第二指示画像の表示位置の例を示す図である。
【図５７】図５７は二つ折りタイプの横長状の携帯端末において第二指示画像だけが画面上に表示されている場合にその第二指示画像の表示位置の例を示す図である。
【図５８】図５８は表示手段の画面上に文字入力画面が表示されていない場合にカーソル操作ボタンとして機能する二つの指示画像の操作の例を示す図である。
【図５９】図５９は表示手段の画面上に文字入力画面が表示されていない場合にカーソル操作ボタンとして機能する二つの指示画像の操作の例を示す図である。
【図６０】図６０は文字入力画面として電話番号入力画面を用いる場合に電話番号入力画面に含まれるキーボード画像の例を示す図である。
【図６１】図６１はスペイン語配列のキーボード画像の例を示す図である。
【図６２】図６２はフランス語配列のキーボード画像の例を示す図である。
【図６３】図６３は韓国語配列のキーボード画像の例を示す図である。
【図６４】図６４は本発明の携帯端末が二つ折り携帯電話である場合の指示画像の表示位置の例を示す図である。
【図６５】図６５（ａ）〜（ｃ）は第一実施形態における第一指示画像の第一の変形例を示す図であり、同図（ｄ）〜（ｆ）は第一実施形態における第二指示画像の第一の変形例を示す図である。
【図６６】図６６（ａ）〜（ｃ）は第一実施形態における第一指示画像の第二の変形例を示す図であり、同図（ｄ）〜（ｆ）は第一実施形態における第二指示画像の第二の変形例を示す図である。
【図６７】図６７（ａ）〜（ｃ）は第一実施形態の変形例における第一指示画像の第一の変形例を示す図であり、同図（ｄ）〜（ｆ）は第一実施形態の変形例における第二指示画像の第一の変形例を示す図である。
【図６８】図６８（ａ）〜（ｃ）は第一実施形態の変形例における第一指示画像の第二の変形例を示す図であり、同図（ｄ）〜（ｆ）は第一実施形態の変形例における第二指示画像の第二の変形例を示す図である。
【図６９】図６９（ａ）〜（ｃ）は第一実施形態における第一指示画像の変形例を示す図であり、図６９（ｄ）〜（ｆ）は第一実施形態における第二指示画像の変形例を示す図である。
【図７０】図７０（ａ）〜（ｃ）は第一実施形態の変形例における第一指示画像の変形例を示す図であり、図７０（ｄ）〜（ｆ）は第一実施形態の変形例における第二指示画像の変形例を示す図である。
【図７１】図７１（ａ）〜（ｃ）は第二実施形態における第一指示画像の変形例を示す図であり、図７１（ｄ）〜（ｆ）は第二実施形態における第二指示画像の変形例を示す図である。
【図７２】図７２（ａ）〜（ｃ）は第一実施形態における第一指示画像の変形例を示す図であり、図７２（ｄ）〜（ｆ）は第一実施形態における第二指示画像の変形例を示す図である。
【図７３】図７３（ａ）〜（ｃ）は第一実施形態の変形例における第一指示画像の変形例を示す図であり、図７３（ｄ）〜（ｆ）は第一実施形態の変形例における第二指示画像の変形例を示す図である。
【図７４】図７４（ａ）〜（ｃ）は第二実施形態における第一指示画像の変形例を示す図であり、図７４（ｄ）〜（ｆ）は第二実施形態における第二指示画像の変形例を示す図である。
【図７５】図７５（ａ）は第一実施形態における第一指示画像及び第二指示画像の変形例を示す図であり、同図（ｂ）は第一実施形態の変形例における第一指示画像及び第二指示画像の変形例を示す図であり、同図（ｃ）は第二実施形態における第一指示画像及び第二指示画像の変形例を示す図である。
【図７６】図７６（ａ）は第一実施形態における第一指示画像及び第二指示画像の変形例を示す図であり、同図（ｂ）は第一実施形態の変形例における第一指示画像及び第二指示画像の変形例を示す図であり、同図（ｃ）は第二実施形態における第一指示画像及び第二指示画像の変形例を示す図である。
【図７７】図７７は携帯端末の後部の一部が上下方向にスライドする携帯端末の例を示す図である。
【図７８】図７８は携帯端末の後部の全体が上下方向にスライドする携帯端末の例を示す図である。
【図７９】図７９は携帯端末の後部の一部が上下方向にスライドする携帯端末の他の例を示す図である。
【図８０】図８０は携帯端末の後部の全体が上下方向にスライドする携帯端末の他の例を示す図である。
【図８１】図８１は本発明の携帯端末として二つ折り携帯電話を用いた場合の指示画像の例を示す図である。
【図８２】図８２は６つの移動方向指示部を有する第一指示画像及び第二指示画像の例を示す図である。
【発明を実施するための形態】
【００３６】
［第一実施形態］
以下に、図面を参照して、本願に係る発明を実施するための形態について説明する。図１は本発明の第一実施形態である携帯端末の概略正面図、図２はその携帯端末の概略ブロック図である。
【００３７】
第一実施形態の携帯端末は、各種の情報を携帯して扱うことができるタブレット端末であり、インターネットに接続して外部と情報の送受信を行う通信機能や文字の入力を行う文字入力機能等、さまざまな機能を備えている。この携帯端末は、図１及び図２に示すように、表示手段１０と、複数の操作ボタン（不図示）と、記憶手段４０と、通信手段５０と、制御手段６０と、タッチパネル７０とを備える。また、この携帯端末は、正面から見ると、略長方形の形状に形成されている。
【００３８】
複数の操作ボタンには、電源ボタン等、各種のボタンが含まれる。電源ボタンは、携帯端末の電源を入れたり、切ったりするためのものであり、例えば携帯端末の側面に設けられている。
【００３９】
表示手段１０は携帯端末の正面側に設けられている。この表示手段１０としては液晶表示装置が用いられ、表示手段１０の画面にはタッチパネル７０が設けられている。このタッチパネル７０には、表示手段１０の画面に対して接触操作が行われたときにその接触した位置を検知し、その検知した位置を示す接触位置情報を制御手段６０に出力する位置検知手段７１が備えられている。また、表示手段１０の画面上には、ホーム画面、アプリケーション画面、文字入力画面等の各種の画面が表示される。ホーム画面は、携帯端末の電源を入れたときに表示される画面である。アプリケーション画面には各アプリケーションプログラムのアイコンが表示されており、所望のアイコンを指で軽く叩く、すなわちタップすることにより、そのアイコンに対応するアプリケーションプログラムを起動することができる。
【００４０】
文字入力画面はキーボード画像を含むものである。ユーザはこのキーボード画像のキー画像を利用して文字の入力を行うことができる。図３は文字入力画面の一例を示す図である。図３に示すように、文字入力画面１００は、キーボード画像１１０と、入力文字表示画面１２０とを備えている。入力文字表示画面１２０の例としては、検索画面、メール作成・送信画面等が挙げられる。また、入力文字表示画面１２０の例としては、Microsoft Word（登録商標）、Microsoft Excel（登録商標）、Microsoft PowerPoint（登録商標）、Microsoft Outlook（登録商標）、Microsoft Word for Mac（登録商標）、Microsoft Excel for Mac（登録商標）、Microsoft PowerPoint for Mac（登録商標）、Microsoft Outlook for Mac（登録商標）、Googleドキュメント（登録商標）等のオフィスソフトによる画面等も挙げられる。キーボード画像１１０には、各文字（記号を含む）と対応付けられた複数の文字キー画像と、特定の機能が付与された複数の機能キー画像とが設けられている。文字キー画像と機能キー画像等を総称してキー画像という。尚、以下では、「文字キー画像」のことを単に「文字キー」とも称することにし、「機能キー画像」のことを単に「機能キー」とも称することにする。そして、「キー画像」のことを単に「キー」とも称することにする。
【００４１】
図３に示すキーボード画像１１０では、文字キーの配列として、ＱＷＥＲＴＹ配列を採用している。また、機能キーには、文字入力モード切替えキー１１１、ホームキー１１２、キーボード切替えキー１１３、スペースキー、Enterキー、Shiftキー等が含まれる。文字入力モード切替えキー１１１は、漢字ひらがな入力モードと、半角英字入力モードとを切り替えるためのものである。ホームキー１１２は、文字入力画面１００を終了してホーム画面を表示することを指示するためのものである。キーボード切替えキー１１３は、図３に示すＱＷＥＲＴＹ配列のキーボード画像と、ひらがな５０音配列のキーボード画像とを切り替えるためのものである。ＱＷＥＲＴＹ配列のキーボード画像において漢字ひらがな入力モードが選択されると、日本語をローマ字で入力することができる。ここで、ひらがな５０音配列のキーボード画像の一例を図４に示す。ひらがな５０音配列のキーボード画像は、漢字ひらがな入力専用のキーボード画像であり、これにもホームキー１１２及びキーボード切替えキー１１３が設けられている。また、ＱＷＥＲＴＹ配列のキーボード画像において漢字ひらがな入力モードが選択されている場合、及び、キーボード画像としてひらがな５０音配列のキーボード画像が表示されている場合には、図３及び図４に示すように、そのキーボード画像の上部に、入力した文字の変換候補を表示するための文字変換候補表示部１１５が表示される。尚、キーボード画像を示す図３及び図４では、スペースキー、Enterキー、Shiftキー等の図示を省略している。これらのキーの図示を省略する点は、後に説明する他の種類のキーボード画像を示す図面においても同様である。
【００４２】
上述したように、本実施形態では、キーボード切替えキー１１３により、ＱＷＥＲＴＹ配列のキーボード画像と、ひらがな５０音配列のキーボード画像とを切り替えているが、例えば、ひらがな５０音配列のキーボード画像の代わりに、携帯電話等で使われている、「あ」「か」「さ」「た」「な」「は」「ま」「や」「ら」「わ」の各キーを有する簡易的なひらがな配列キーボード画像を採用し、キーボード切替えキー１１３により、ＱＷＥＲＴＹ配列のキーボード画像と、その簡易的なひらがな配列キーボード画像とを切り替えるようにしてもよい。また、本実施形態では、文字入力モード切替えキー１１１により、漢字ひらがな入力モードと、半角英字入力モードとを切り替えているが、例えば、これらの入力モードに半角数字入力モード等の他の入力モードを加えた複数の入力モード間で入力モードを切り替えるようにしてもよい。
【００４３】
尚、本実施形態では、文字入力画面１００が表示手段１０の画面上に縦長の状態で表示され、ユーザは携帯端末を縦長の状態にして文字の入力を行うものとする。
【００４４】
また、文字入力画面１００が表示手段１０の画面上に表示されると、その画面上には第一指示画像２０及び第二指示画像３０が表示される。第一指示画像２０及び第二指示画像３０はそれぞれ、表示手段１０の画面上における所定の領域に表示されている。具体的に、図１及び図３に示すように、第一指示画像２０及び第二指示画像３０は、キーボード画像１１０の上側に、左右に並べて表示され、第一指示画像２０は入力文字表示画面１２０の左下端部に、第二指示画像３０は入力文字表示画面１２０の右下端部に表示されている。本実施形態では、文字入力画面１００に二つのカーソル（第一カーソル１０１及び第二カーソル１０２）を表示し、第一指示画像２０を用いて第一カーソル１０１を、第二指示画像３０を用いて第二カーソル１０２を操作することにしている。これら第一カーソル１０１及び第二カーソル１０２は、主にキーボード画像１１０の各キーを選択するために用いられる。すなわち、第一指示画像２０は、第一カーソル１０１についての移動方向を指示すると共に第一カーソル１０１がキーボード画像１１０上で現在指し示しているキーの選択を指示するためのものであり、第二指示画像３０は、第二カーソル１０２についての移動方向を指示すると共に第二カーソル１０２がキーボード画像１１０上で現在指し示しているキーの選択を指示するためのものである。
【００４５】
図５は第一指示画像２０及び第二指示画像３０を説明するための図である。第一指示画像２０は、図５に示すように、８つの移動方向指示部２１ａ，２１ｂ，・・・，２１ｈと、それら移動方向指示部２１ａ，２１ｂ，・・・，２１ｈの中央に設けられた選択指示部２２とを有する。８つの移動方向指示部２１ａ，２１ｂ，・・・，２１ｈは全体として円環状に構成されている。各移動方向指示部２１ａ，２１ｂ，・・・，２１ｈは、文字入力画面１００に表示される第一カーソル１０１についての移動方向を指示するためのものである。ここで、各移動方向指示部２１ａ，２１ｂ，・・・，２１ｈには当該移動方向が矢印で表示されている。例えば、ユーザが移動方向指示部２１ａをタップすると、第一カーソル１０１は文字入力画面１００上において上方向に移動し、移動方向指示部２１ｅをタップすると、第一カーソル１０１は文字入力画面１００上において下方向に移動する。また、ユーザが移動方向指示部２１ｃをタップすると、第一カーソル１０１は文字入力画面１００上において右方向に移動し、移動方向指示部２１ｇをタップすると、第一カーソル１０１は文字入力画面１００上において左方向に移動する。更に、ユーザが移動方向指示部２１ｂをタップすると、第一カーソル１０１は文字入力画面１００上において右斜め上方向に移動し、移動方向指示部２１ｄをタップすると、第一カーソル１０１は文字入力画面１００上において右斜め下方向に移動し、移動方向指示部２１ｆをタップすると、第一カーソル１０１は文字入力画面１００上において左斜め下方向に移動し、そして、移動方向指示部２１ｈをタップすると、第一カーソル１０１は文字入力画面１００上において左斜め上方向に移動する。また、選択指示部２２は、主に第一カーソル１０１がキーボード画像１１０上で現在指し示しているキー（文字キー、機能キー）の選択を指示するためのものである。この選択指示部２２は、入力文字表示画面１２０上のキーを選択する際にも使用することができる。
【００４６】
また、第二指示画像３０は、図５に示すように、８つの移動方向指示部３１ａ，３１ｂ，・・・，３１ｈと、それら移動方向指示部３１ａ，３１ｂ，・・・，３１ｈの中央に設けられた選択指示部３２とを有する。８つの移動方向指示部３１ａ，３１ｂ，・・・，３１ｈは全体として四角の環状に構成されている。各移動方向指示部３１ａ，３１ｂ，・・・，３１ｈは、文字入力画面１００に表示される第二カーソル１０２についての移動方向を指示するためのものである。ここで、各移動方向指示部３１ａ，３１ｂ，・・・，３１ｈには当該移動方向が矢印で表示されている。例えば、ユーザが移動方向指示部３１ａをタップすると、第二カーソル１０２は文字入力画面１００上において上方向に移動し、移動方向指示部３１ｅをタップすると、第二カーソル１０２は文字入力画面１００上において下方向に移動する。また、ユーザが移動方向指示部３１ｃをタップすると、第二カーソル１０２は文字入力画面１００上において右方向に移動し、移動方向指示部３１ｇをタップすると、第二カーソル１０２は文字入力画面１００上において左方向に移動する。更に、ユーザが移動方向指示部３１ｂをタップすると、第二カーソル１０２は文字入力画面１００上において右斜め上方向に移動し、移動方向指示部３１ｄをタップすると、第二カーソル１０２は文字入力画面１００上において右斜め下方向に移動し、移動方向指示部３１ｆをタップすると、第二カーソル１０２は文字入力画面１００上において左斜め下方向に移動し、そして、移動方向指示部３１ｈをタップすると、第二カーソル１０２は文字入力画面１００上において左斜め上方向に移動する。また、選択指示部３２は、主に第二カーソル１０２がキーボード画像１１０上で現在指し示しているキー（文字キー、機能キー）の選択を指示するためのものである。この選択指示部３２は、入力文字表示画面１２０上のキーを選択する際にも使用することができる。尚、本実施形態では、第一指示画像２０と第二指示画像３０とを異なる形状に形成しているが、第一指示画像２０と第二指示画像３０とを同じ形状に形成するようにしてもよい。
【００４７】
また、第一実施形態では、文字の入力を行っている際に、予め定めた一定時間（以下、無操作時間とも称する。）、第一指示画像２０が操作されなかったときに、或いは、第一指示画像２０及び／又は第二指示画像３０に対して予め定めた操作がなされたときに、第一カーソル１０１を当該カーソルの基準位置に移動（復帰）させ、また、予め定めた一定時間（無操作時間）、第二指示画像３０が操作されなかったときに、或いは、第一指示画像２０及び／又は第二指示画像３０に対して予め定めた操作がなされたときに、第二カーソル１０２を当該カーソルの基準位置に移動（復帰）させることができる。このようなカーソルの復帰制御は、制御手段６０によって行われる。ここで、カーソルの基準位置とは、キーボード画像を左右の二つに区分したときの各キーボード画像の略中央位置、すなわち、キーボード画像１１０を左側キーボード画像と右側キーボード画像に分けて考えた場合にその分けた各キーボード画像の略中央位置のことをいう。例えば、図３に示すＱＷＥＲＴＹ配列のキーボード画像１１０の場合、略二等分に分けた一方の左側キーボード画像においては「Ｄ」のキー画像近傍が第一カーソル１０１の基準位置であり、略二等分に分けた他方の右側キーボード画像においては「Ｋ」のキー画像近傍が第二カーソル１０２の基準位置である。一般には、上記区分の仕方は二等分ではなく、キーボード画像をどのように区分してもよい。また、具体的に、第一実施形態では、カーソルの基準位置への復帰操作として、次のような操作を定めている。すなわち、移動方向指示部２１ａ，２１ｂ，・・・，２１ｈのうちのいずれか一つと移動方向指示部３１ａ，３１ｂ，・・・，３１ｈのうちのいずれか一つを同時に連続して三回タップすると、第一カーソル１０１と第二カーソル１０２がそれぞれの基準位置に移動する。また、移動方向指示部２１ａ，２１ｂ，・・・，２１ｈのうちのいずれか一つを長押した状態で移動方向指示部３１ａ，３１ｂ，・・・，３１ｈのうちのいずれか一つを２回連続してタップすると、第一カーソル１０１がその基準位置に移動し、移動方向指示部３１ａ，３１ｂ，・・・，３１ｈのうちのいずれか一つを長押した状態で移動方向指示部２１ａ，２１ｂ，・・・，２１ｈのうちのいずれか一つを連続して２回タップすると、第二カーソル１０２がその基準位置に移動する。尚、本発明におけるカーソルの基準位置への復帰操作は、上述したものに限定されるものではなく、第一指示画像２０及び／又は第二指示画像３０を用いて行う操作であればどのようなものであってもよい。
【００４８】
各移動方向指示部２１ａ，２１ｂ，・・・，２１ｈ，３１ａ，３１ｂ，・・・，３１ｈを操作することにより、それに対応するカーソルを、文字入力画面１００上のキーボート画像１１０の表示領域内だけでなく、文字入力画面１００上の全面を自由に移動させることができる。すなわち、第一カーソル１０１及び第二カーソル１０２は、通常のマウス操作によりマウスのカーソルが移動するのと同様に、移動することができる。このため、例えば、入力文字表示画面１２０としてメール作成・送信画面が表示されている場合、第一カーソル１０１又は第二カーソル１０２をそのメール作成・送信画面内の送信ボタンのところに移動させて、その送信ボタンを選択するために用いることができる。このように、第一指示画像２０及び第二指示画像３０は、表示手段１０の画面上に文字入力画面１００が表示されているときに、カーソル操作ボタンとしての役割を果たす。
【００４９】
本実施形態では、文字入力画面１００に第一カーソル１０１及び第二カーソル１０２を表示することにしているため、ユーザがこれら二つのカーソル１０１，１０２を容易に識別できるように、第一カーソル１０１と第二カーソル１０２を、形状、色、内側に引いた線、模様の各要素のうち少なくとも一つの要素が異なるような態様で表示することにしている。図６は二つのカーソル１０１，１０２の表示態様の例を示す図である。例えば、図６（ａ）の例では、第一カーソル１０１を円形状で表示し、第二カーソル１０２を四角形状で表示している。図６（ｂ）の例では、第一カーソル１０１を、左上方向に向かう直線状の矢印で表示し、第二カーソル１０２を、下方向に向かってから上方向に向かう曲線状の矢印で表示している。また、図６（ｃ）の例では、第一カーソル１０１を四角形状で表示し、第二カーソル１０２を四角形の内部に横線を引いた形状で表示している。図６（ｄ）の例では、第一カーソル１０１を四角形の内部に斜線を引いた形状で表示し、第二カーソル１０２を四角形状で表示している。図６（ｅ）の例では、第一カーソル１０１を楕円の内部に×印を描いた形状で表示し、第二カーソル１０２を楕円の内部に十字を描いた形状で表示している。更に、図６（ｆ）の例では、第一カーソル１０１を四角形状で表示し、第二カーソル１０２を四角形の内部に模様を描いた形状で表示している。図６（ｇ）の例では、第一カーソル１０１を円形状で表示し、第二カーソル１０２を円形の内部に模様を描いた形状で表示している。本実施形態では、図６（ａ）の例のように、第一カーソル１０１を円形状で表示し、第二カーソル１０２を四角形状で表示することにする。
【００５０】
尚、本実施形態の携帯端末には、第一カーソル１０１及び第二カーソル１０２の表示態様が複数種類プリセットされており、ユーザは、第一カーソル１０１及び第二カーソル１０２のそれぞれに対して所望の表示態様を選択することが可能である。
【００５１】
本実施形態では、所定の設定画面を用いて第一指示画像２０の表示領域又は第二指示画像３０の表示領域についてその表示態様や表示位置を変更することが可能である。図７は第一指示画像２０についての設定画面の一例を示す図である。図７に示す設定画面４００には、第一指示画像２０の大きさを選択するための大きさ選択部４１０と、第一指示画像２０の形状を選択するための形状選択部４２０と、第一指示画像２０の表示位置を選択するための位置選択部４３０とが設けられている。ここで、大きさ選択部４１０における選択可能な大きさとしては、「大」、「中」、「小」の三つの大きさがある。形状選択部４２０における選択可能な形状としては、「正方形」、「縦長長方形」、「横長長方形」、「円」、「縦長楕円」、「横長楕円」の六つの形状がある。また、位置選択部４３０における選択可能な位置としては、「左上」、「中上」、「右上」等の合計九つの位置がある。ユーザは、大きさ選択部４１０において所望の大きさを選択することにより、第一指示画像２０の大きさを変更することができ、形状選択部４２０において所望の形状を選択することにより、第一指示画像２０の形状を変更することができる。そして、ユーザは、位置選択部４３０において所望の位置を選択することにより、第一指示画像２０の表示位置を変更することができる。また、第二指示画像３０についても、図７に示す設定画面４００と同様の設定画面が設けられている。尚、図７に示すような設定画面を用いて設定した、第一指示画像２０又は第二指示画像３０についての大きさ等の情報は、後述する記憶手段４０に記憶される。
【００５２】
このように、本実施形態では、所定の設定画面を用いて各指示画像２０，３０の大きさ、形状を変更することができる。これにより、ユーザが男女、大人子供のいずれであっても、自分の指のサイズに応じた大きさの各指示画像２０，３０を選択することができる。また、各指示画像２０，３０を、その横幅や上下の間隔が限定されるような位置に表示する場合等に、当該位置に応じた形状の各指示画像２０，３０を選択することができる。図８は第一指示画像２０及び第二指示画像３０の表示形状の例を示す図である。図８（ａ）の例では、第一指示画像２０を縦長楕円の形状に表示し、第二指示画像３０を縦長長方形の形状に表示している。図８（ｂ）の例では、第一指示画像２０を横長楕円の形状に表示し、第二指示画像３０を横長長方形の形状に表示している。
【００５３】
また、本実施形態では、所定の設定画面を用いて第一指示画像２０及び第二指示画像３０の表示位置を変更することができる。これにより、ユーザは、第一指示画像２０及び第二指示画像３０を表示する位置を、自分がこれら指示画像２０，３０を操作しやすい位置に変更することができる。図９は第一指示画像２０及び第二指示画像３０の表示位置の例を示す図である。図９（ａ）の例では、第一指示画像２０を入力文字表示画面１２０の左側の上部に、第二指示画像３０を入力文字表示画面１２０の右側の上部に表示している。図９（ｂ）の例では、第一指示画像２０を入力文字表示画面１２０の左側の中央部に、第二指示画像３０を入力文字表示画面１２０の右側の中央部に表示している。図９（ｃ）の例では、第一指示画像２０を入力文字表示画面１２０の左側の下部に、第二指示画像３０を入力文字表示画面１２０の右側の下部に表示している。また、図９（ｄ）の例では、第一指示画像２０及び第二指示画像３０の形状として横長の形状を選択した場合に、第一指示画像２０を入力文字表示画面１２０の左側の上部に、第二指示画像３０を入力文字表示画面１２０の右側の上部に表示している。図９（ｅ）の例では、第一指示画像２０及び第二指示画像３０の形状として縦長の形状を選択した場合に、第一指示画像２０を入力文字表示画面１２０の左側の中央部に、第二指示画像３０を入力文字表示画面１２０の右側の中央部に表示している。図９（ｆ）の例では、第一指示画像２０及び第二指示画像３０の形状として横長の形状を選択した場合に、第一指示画像２０を入力文字表示画面１２０の左側の下部に、第二指示画像３０を入力文字表示画面１２０の右側の下部に表示している。
【００５４】
尚、第一指示画像２０及び第二指示画像３０の表示態様を予め複数種類プリセットしておき、ユーザが、そのプリセットされたものの中から第一指示画像２０及び第二指示画像３０の表示態様を選択するようにしてもよい。また、表示手段１０の画面上における第一指示画像２０及び第二指示画像３０の表示位置についても、キーボード画像１１０の表示位置と連動して予め複数種類プリセットしておき、ユーザがそのプリセットされたものの中から所望の表示位置を選択するようにしてもよい。図１０に予めプリセットされた第一指示画像２０及び第二指示画像３０の表示位置の例を示す。
【００５５】
また、本実施形態では、所定の設定画面で指示画像の単独表示を選択することにより、第一指示画像２０及び第二指示画像３０のうちいずれか一方の指示画像を表示手段１０の画面上に表示することが可能である。第一指示画像２０及び第二指示画像３０のうちいずれか一方の指示画像を表示手段１０の画面上に表示した場合、二つのカーソル１０１，１０２のうちその表示している指示画像に対応するカーソルだけが表示される。図１１は第二指示画像３０だけが画面上に表示されている携帯端末の概略正面図、図１２は第二指示画像３０だけが画面上に表示されている場合の文字入力画面の例を示す図である。また、図１３、図１４及び図１５には、第二指示画像３０だけが画面上に表示されている場合にその第二指示画像３０の表示位置の例を示す。
【００５６】
更に、本実施形態では、上記所定の設定画面を用いて、第一カーソル１０１と第二カーソル１０２をそれぞれ基準位置に移動させる操作の設定、各カーソルについての基準位置の設定、無操作時間の設定を行ったり、各カーソルを基準位置へ復帰させる機能の有効／無効の切替えを設定したりすることができる。尚、この場合、かかる設定画面を用いて設定した、各カーソルについての基準位置等の情報は、記憶手段４０に記憶される。
【００５７】
記憶手段４０には、ＯＳや各種のアプリケーションプログラム等が格納されている。また、記憶手段４０は作業用のメモリとして利用される。例えば、この記憶手段４０には、表示手段１０の画面上における所定の表示領域にキーボード画像１１０を表示するためのキーボード表示領域情報（位置情報、形状の情報、大きさの情報、色の情報等を含む。）、表示手段１０の画面上における所定の表示領域に第一指示画像２０の８つの移動方向指示部２１ａ，２１ｂ，・・・，２１ｈ及び選択指示部２２を表示するための第一指示画像表示領域情報（位置情報、形状の情報、大きさの情報、色の情報等を含む。）、表示手段１０の画面上における所定の表示領域に第二指示画像３０の８つの移動方向指示部３１ａ，３１ｂ，・・・，３１ｈ及び選択指示部３２を表示するための第二指示画像表示領域情報（位置情報、形状の情報、大きさの情報、色の情報等を含む。）、第一カーソル１０１及び第二カーソル１０２のそれぞれについて表示手段１０の画面上における所定の表示位置（表示領域）に当該カーソルを表示するためのカーソル表示領域情報（位置情報、形状の情報、大きさの情報、色・模様の情報等を含む。）、各カーソルをそれぞれの基準位置に復帰させる機能に関する情報（基準位置の情報、無操作時間の情報等を含む。）等が記憶されている。また、通信手段５０は、外部との間で情報の通信を行うものである。
【００５８】
制御手段６０は、携帯端末の各部を統括して制御するものである。以下では、制御手段６０が行う制御の内容のうち、主として、文字入力に関連する制御内容を説明することにする。この制御手段６０は、図２に示すように、表示制御手段６１と、操作判定手段６２と、入力制御手段６３とを備えている。
【００５９】
表示制御手段６１は、ホーム画面、アプリケーション画面、文字入力画面１００、第一指示画像２０及び第二指示画像３０、第一カーソル１０１及び第二カーソル１０２等の各種の画面・画像を作成して、表示手段１０の画面上に表示するものである。この表示制御手段６１は、キーボード画像１１０、各指示画像２０，３０及び各カーソル１０１，１０２を表示手段１０の画面上に表示するとき、キーボード画像１１０、各指示画像２０，３０及び各カーソル１０１，１０２についての表示領域情報（キーボード表示領域情報、第一指示画像表示領域情報、第二指示画像表示領域情報、各カーソル表示領域情報）を記憶手段４０に記憶して管理する。また、表示制御手段６１は、指示画像表示制御手段６１ａと、カーソル表示制御手段６１ｂと、キーボード画像表示制御手段６１ｃとを含む。指示画像表示制御手段６１ａは、第一指示画像２０及び第二指示画像３０の表示を制御する。カーソル表示制御手段６１ｂは、各カーソル１０１，１０２の表示を制御すると共に、以下に述べるように、操作判定手段６２からの信号に基づいて各カーソル１０１，１０２の移動を制御する。キーボード画像表示制御手段６１ｃは、キーボード画像１１０の表示を制御する。また、指示画像表示制御手段６１ａは、所定の設定画面を用いて第一指示画像２０の表示領域又は第二指示画像３０の表示領域についてその表示位置、大きさ又は形状等の変更が指示されたときに、その指示された内容にしたがって表示手段１０の画面上における当該指示画像の表示領域を変更する。更に、指示画像表示制御手段６１ａは、所定の設定画面を用いて設定された内容にしたがって、二つの指示画像２０，３０の表示といずれか一方の指示画像の表示との切替えを制御する。尚、表示制御手段６１は、キーボード画像１１０、各指示画像２０，３０、各カーソル１０１，１０２の表示領域の変更が指示されると、記憶手段４０に記憶されている表示領域情報をその変更後の内容に書き換える。
【００６０】
操作判定手段６２は、タッチパネル７０の位置検知手段７１から接触位置情報が出力されたときに、ユーザによるタッチパネル７０の接触操作の内容を判定するものである。具体的に、例えば操作判定手段６２は、タッチパネル７０の位置検知手段７１から接触位置情報が送られると、記憶手段４０に記憶されている指示画像表示領域情報（第一指示画像表示領域情報、第二指示画像表示領域情報）に基づいて、第一カーソルの移動方向を指示する第一操作が第一指示画像２０に対して行われたかどうか、第一カーソルがキーボード画像上で指し示しているキー画像の選択を指示する第二操作が第一指示画像２０に対して行われたかどうか、第二カーソルの移動方向を指示する第三操作が第二指示画像３０に対して行われたかどうか、第二カーソルがキーボード画像上で指し示しているキー画像の選択を指示する第四操作が第二指示画像３０に対して行われたかどうかを判断する。ここで、第一操作は、第一指示画像２０の各移動方向指示部２１ａ，２１ｂ，・・・，２１ｈを接触する操作（例えばタップ操作、長押し操作）であり、第二操作は、第一指示画像２０の選択指示部２２を接触する操作（例えばタップ操作）であり、第三操作は、第二指示画像３０の各移動方向指示部３１ａ，３１ｂ，・・・，３１ｈを接触する操作（例えばタップ操作、長押し操作）であり、第四操作は、第二指示画像３０の選択指示部３２を接触する操作（例えばタップ操作）である。そして、操作判定手段６２は、第一指示画像２０に対する第一操作が行われたと判断すると、当該第一操作が行われている間、第一指示画像２０に対する第一操作が行われた旨の信号をカーソル表示制御手段６１ｂに出力し、第二指示画像３０に対する第三操作が行われたと判断すると、当該第三操作が行われている間、第二指示画像３０に対する第三操作が行われた旨の信号をカーソル表示制御手段６１ｂに出力する。一方、操作判定手段６２は、第一指示画像２０に対する第二操作が行われたと判断すると、第一指示画像２０に対する第二操作が行われた旨の信号を入力制御手段６３に出力し、第二指示画像３０に対する第四操作が行われたと判断すると、第二指示画像３０に対する第四操作が行われた旨の信号を入力制御手段６３に出力する。また、操作判定手段６２は、当該接触位置情報の示す位置が指示画像２０，３０の各指示部の表示領域に含まれていないと判断すると、当該接触位置情報の示す位置がキーボード画像１１０の各キーに対応する位置であるかどうかを判断する。そして、操作判定手段６２は、当該接触位置情報の示す位置がキーに対応する位置であると判断すると、当該キーが操作（タップ操作）されたと判定し、当該キーが操作された旨の信号を入力制御手段６３に出力する。
【００６１】
カーソル表示制御手段６１ｂは、操作判定手段６２から第一指示画像２０に対する第一操作が行われた旨の信号が送られたときに、当該信号が送られている間、当該第一操作の対象となった移動方向指示部によって示される移動方向に第一カーソル１０１が移動するように文字入力画面上での第一カーソル１０１の移動を制御すると共に、操作判定手段６２から第二指示画像３０に対する第三操作が行われた旨の信号が送られたときに、当該信号が送られている間、当該第三操作の対象となった移動方向指示部によって示される移動方向に第二カーソル１０２が移動するように文字入力画面上での第二カーソル１０２の移動を制御する。これにより、例えば、ユーザが所望の移動方向指示部をタップすると、それに対応するカーソルは、その移動方向指示部によって示される方向に微小距離だけ移動することとなり、また、ユーザが所望の移動方向指示部を長押しすると、それに対応するカーソルは、その長押し操作が行われている間、その移動方向指示部によって示される方向に継続して移動することになる。更に、カーソル表示制御手段６１ｂは、文字の入力を行っている際に、操作判定手段６２からの信号に基づいて、第一指示画像２０及び／又は第二指示画像３０を用いて各カーソルを基準位置に復帰させるための操作がなされたと判断したとき、或いは、各指示画像が予め設定した一定時間操作されなかったと判断したときに、対応するカーソルがその基準位置に復帰するように当該カーソルの移動を制御する。また、ユーザが所定の設定画面を用いて第一指示画像２０及び第二指示画像３０の表示態様を変更したとき、指示画像表示制御手段６１ａはその変更の内容にしたがって第一指示画像２０及び第二指示画像３０の表示態様を変更して表示手段１０の画面上に表示する。そして、ユーザが所定の設定画面を用いて第一指示画像２０及び第二指示画像３０の表示位置を変更したときに、指示画像表示制御手段６１ａはその変更の内容にしたがって第一指示画像２０及び第二指示画像３０の表示位置を変更して表示手段１０の画面上に表示する。更に、ユーザが所定の設定画面を用いて例えば第二指示画像３０のみの単独表示を選択したときに、指示画像表示制御手段６１ａは第一指示画像２０と第一カーソル１０１を表示手段１０の画面上に表示しないようにする。
【００６２】
ここで、本実施形態では、キーボード画像１１０上におけるカーソル移動については、カーソルが自由に移動できる設定（自由移動設定）と、個々のキーを一つの移動範囲として、カーソルがキー単位で移動するという設定（キー単位移動設定）とを選択することができる。例えば、図７に示す設定画面と同様の設定画面を用いて自由移動設定及びキー単位移動設定のうちいずれかの設定を選択することができるようにしてもよいし、或いは、特定のキー画像をタップする毎に自由移動設定とキー単位移動設定を相互に切り替えることができるようにしてもよい。なお、現在、自由移動設定及びキー単位移動設定のうちいずれが有効になっているかについての情報は、記憶手段４０に記憶される。カーソル表示制御手段６１ｂは、キー単位移動設定が有効になっている場合に、移動方向指示部２１ａ，２１ｂ，・・・，２１ｈ又は移動方向指示部３１ａ，３１ｂ，・・・，３１ｈが操作されると、当該操作された移動方向指示部によって示される移動方向に沿って当該カーソルをキー単位で移動させるように、当該カーソルの移動を制御することになる。これにより、例えば、ユーザが第一指示画像又は第二指示画像の所望の移動方向指示部をタップすると、その指示画像に対応するカーソルはその移動方向指示部によって示される移動方向に沿って隣のキーのところに移動することになり、また、ユーザが第一指示画像又は第二指示画像の所望の移動方向指示部を長押しすると、その指示画像に対応するカーソルは、その長押し操作が行われている間、その移動方向指示部によって示される移動方向に沿ってキー単位で連続的に移動することになる。ユーザは、かかるキー単位移動設定を行うことにより、キーボード画像１１０上で各カーソル１０１，１０２を所望のキーのところに移動させる操作を簡単に且つ正確に行うことができるので、操作ミスを少なくすることができる。尚、キー単位移動設定が有効になっている場合において、第一指示画像２０及び／又は第二指示画像３０を用いて各カーソルをその基準位置に復帰させるための操作がなされたとき、或いは、各指示画像が予め設定した一定時間操作されなかったときには、図３に示すＱＷＥＲＴＹ配列のキーボード画像１１０の場合、第一カーソルを例えば「Ｄ」のキー画像の位置に、また第二カーソルを例えば「Ｋ」のキー画像の位置に復帰させることができる。
【００６３】
尚、キー単位移動設定が有効になっている場合には、第一カーソル１０１と第二カーソル１０２とを、異なる形状で表示するのではなく、色、内側に引いた線、模様の各要素のうち少なくとも一つの要素が異なるような態様で表示することが望ましい。図１６はキーボード画像１１０上で第一カーソル１０１及び第二カーソル１０２がキー単位で移動する場合における第一カーソル１０１及び第二カーソル１０２の表示態様の一例を示す図である。この図１６の例では、第一カーソル１０１は、四角形の内部に右上から左下に向かう斜線が引かれた態様で表示され、第二カーソル１０２は、四角形の内部に左上から右下に向かう斜線が引かれた態様で表示されている。このように、第一カーソル１０１と第二カーソル１０２とを、色、内側に引いた線、模様の各要素のうち少なくとも一つの要素が異なるような態様で表示すると、キー単位移動設定が有効になっている場合であっても、ユーザは第一カーソル１０１と第二カーソル１０２とを容易に識別することができる。
【００６４】
入力制御手段６３は、表示手段１０の画面上に文字入力画面１００が表示されている場合に、文字の入力を制御したり、各種の指令に応じた処理を行ったりするものである。具体的に、入力制御手段６３は、操作判定手段６２から第一指示画像２０に対する第二操作が行われた旨の信号が送られたときに、第一カーソル１０１が現在、文字キーを指し示していれば、当該文字キーと対応付けられた文字の入力を制御し、一方、第一カーソル１０１が現在、機能キーを指し示していれば、当該機能キーに付与された機能を実現するための処理を実行する。また、入力制御手段６３は、操作判定手段６２から第二指示画像３０に対する第四操作が行われた旨の信号が送られたときに、第二カーソル１０２が現在、文字キーを指し示していれば、当該文字キーと対応付けられた文字の入力を制御し、一方、第二カーソル１０２が現在、機能キーを指し示していれば、当該機能キーに付与された機能を実現するための処理を実行する。
【００６５】
更に、入力制御手段６３は、ユーザがキーボード画像１１０のキーを直接指で触れ、操作判定手段６２からその触れたキーが操作された旨の信号が送られたときに、当該キーが文字キーであれば、その文字キーに対応付けられた文字の入力を制御し、当該キーが機能キーであれば、その機能キーに付与された機能を実現するための処理を行う。このように、表示手段１０の画面にタッチパネル７０を設けた場合には、第一カーソル１０１及び第二カーソル１０２を用いた文字入力方法とタッチパネル７０による文字入力方法とを併用して、文字の入力を行うことができると共に、第一カーソル１０１及び第二カーソル１０２を用いた機能キーの選択方法とタッチパネル７０による機能キーの選択方法とを併用して、機能キーに付与された機能の実現を指示することができる。
【００６６】
ところで、本実施形態では、ＱＷＥＲＴＹ配列のキーボード画像において漢字ひらがな入力モードが選択されている場合に、入力文字の変換及びその確定を行うための操作として複数の操作が定められている。その一つの操作は、通常の操作と同様である。すなわち、入力制御手段６３は、漢字ひらがな入力モードが選択されている場合、キーボード画像１１０のスペースキーが選択されたときに、入力文字表示画面１２０の所定の欄に表示されている未確定状態の入力文字について変換を行い、その変換した文字を文字変換候補表示部１１５に表示させる。そして、Enterキーが選択されたときに、その未確定状態の入力文字を文字変換候補表示部１１５に表示されている文字に確定する。ここで、スペースキーやEnterキーの選択は、第一カーソル１０１又は第二カーソル１０２を用いて行うことも、タッチパネル７０を利用することにより直接指で触れて行うこともできる。また、本実施形態では、第二操作と第四操作とを同時に行うこと、すなわち、第一指示画像２０の選択指示部２２と第二指示画像３０の選択指示部３２とを同時に一回タップすることによっても、入力制御手段６３は入力文字の変換を行うことになる。具体的に、入力制御手段６３は、操作判定手段６２から第一指示画像２０に対する第二操作が行われた旨の信号と第二指示画像３０に対する第四操作が行われた旨の信号が同時に送られたと判断したときに、入力文字の変換を行う。このため、ユーザはかかる操作を、少しの間隔をおいて繰り返すことにより、変換後の文字を次々に切り替えることができる。更に、本実施形態では、第一指示画像２０及び第二指示画像３０のうちいずれか一方の指示画像の選択指示部を二回連続してタップすること（第二操作若しくは第四操作を二回連続して行うこと）により、又は、第一指示画像２０の選択指示部２２と第二指示画像３０の選択指示部３２とを同時に二回連続してタップすること（第二操作と第四操作とを同時に行うという操作を二回連続して行うこと）によっても、入力制御手段６３は入力文字の変換を確定させることになる。具体的に、入力制御手段６３は、操作判定手段６２から第一指示画像２０に対する第二操作が行われた旨の信号若しくは第二指示画像３０に対する第四操作が行われた旨の信号を二回連続して送られたと判断したとき、又は、操作判定手段６２から第一指示画像２０に対する第二操作が行われた旨の信号と第二指示画像３０に対する第四操作が行われた旨の信号が同時に且つ二回連続して送られたと判断したときに、入力文字の変換を確定させる。また、本実施形態では、キーボード画像としてひらがな５０音配列のキーボード画像が表示されている場合にも、上記と同様に、入力文字の変換及びその確定を行う操作として複数の操作が定められている。
【００６７】
尚、入力文字の変換及びその確定を行うための操作は上記の操作に限られない。例えば、第一指示画像２０及び第二指示画像３０のうちいずれか一方の指示画像の選択指示部を二回連続してタップすることにより、入力制御手段６３が文字の変換を行い、第一指示画像２０の選択指示部２２と第二指示画像３０の選択指示部３２とを同時に一回タップすることにより、入力制御手段６３が入力文字の変換の確定を行うようにしてもよい。また、一般には、第一指示画像２０及び第二指示画像３０をタップする組合せ等に応じた、様々な指令を設定することが可能である。例えば、上述したように、移動方向指示部２１ａ，２１ｂ，・・・，２１ｈのうちのいずれか一つと移動方向指示部３１ａ，３１ｂ，・・・，３１ｈのうちのいずれか一つを同時に連続して三回タップする操作は、第一カーソル１０１と第二カーソル１０２をそれぞれの基準位置に移動するためのコマンドを指定する操作である。
【００６８】
また、入力制御手段６３は、入力作業の途中であっても、キーボード画像１１０のホームキー１１２が選択されたときに、ホーム画面を表示する旨の信号を表示制御手段６１に出力する。表示制御手段６１は、その信号を受けると、当該文字入力画面１００に代えてホーム画面を表示手段１０の画面上に表示する。
【００６９】
次に、文字入力作業時における第一実施形態の携帯端末の持ち方及び二つの指示画像２０，３０の操作の仕方について説明する。図１７は文字入力作業時における第一実施形態の携帯端末の持ち方及び二つの指示画像２０，３０の操作の仕方を説明するための図である。
【００７０】
文字入力する際には、ユーザは、図１７（ａ）に示すように、左手の親指以外の指で携帯端末の左側面又は裏面を押さえると共に第一指示画像２０の上方に左手の親指を配置し、右手の親指以外の指で携帯端末の右側面又は裏面を押さえると共に第二指示画像３０の上方に右手の親指を配置する。このように、第一指示画像２０が設けられた携帯端末の部位の周辺部と第二指示画像３０が設けられた携帯端末の部位の周辺部とをそれぞれの手で押さえることになるので、携帯端末を両手で安定して保持することができる。また、各指示画像２０，３０の操作はその上方に配されている親指で行う。すなわち、図１７（ｂ）及び（ｃ）に示すように、ユーザは、両手で携帯端末を保持した状態のまま、左手の親指を用いて、第一指示画像２０の各移動方向指示部を操作（タップ操作、長押し操作）することにより、第一カーソル１０１を動かす。そして、ユーザは、右手の親指を用いて、第二指示画像３０の各移動方向指示部を操作（タップ操作、長押し操作）することにより、第二カーソル１０２を動かす。このように、両手で第一指示画像２０及び第二指示画像３０を操作して、所望の文字キーや機能キーを迅速且つ正確に選択することができるので、入力作業を迅速且つ正確に行うことができる。ここで、図１７（ｃ）に示すように、各カーソル１０１，１０２を、キーボード画像１１０の表示領域内だけでなく、入力文字表示画面１２０の表示領域内にも移動させることができる。尚、キーボード画像１１０から入力文字表示画面１２０にカーソル１０１，１０２が移動する場合には、当該カーソルの形状が矢印等の形状に自動的に変更するようにしてもよい。この場合も、第一カーソル１０１と第二カーソル１０２とは互いに識別することができるように異なる形状又は異なる色等に変更することが望ましい。
【００７１】
尚、文字入力作業時における携帯端末の持ち方及び二つの指示画像２０，３０の操作の仕方は、上記の方法に限られない。例えば、ユーザは自分に適した持ち方で携帯端末を持ち、例えば親指や人差し指等を用いて各指示画像２０，３０を操作するようにしてもよい。また、ユーザは、両手で携帯端末を保持しつつ、片方の手の親指を用いて一つの指示画像を操作し、その指示画像に対応するカーソルのみを使って、文字の入力を行うようにしてもよい。
【００７２】
次に、指示画像を一つだけ表示した場合における携帯端末の持ち方及びその指示画像の操作の仕方について説明する。図１８は第一指示画像２０だけを表示した場合における携帯端末の持ち方及び第一指示画像２０の操作の仕方を説明するための図、図１９は第二指示画像３０だけを表示した場合における携帯端末の持ち方及び第二指示画像３０の操作の仕方を説明するための図である。
【００７３】
図１８に示す携帯端末では、第一指示画像２０は入力文字表示画面１２０の左下端部に表示されている。この場合、ユーザは、図１８（ａ）に示すように、左手の親指以外の指で携帯端末の左側面又は裏面を押さえると共に第一指示画像２０の上方に左手の親指を配置する。第一指示画像２０の操作はその上方に配されている親指で行う。すなわち、図１８（ｂ）及び（ｃ）に示すように、ユーザは、左手の親指を用いて、第一指示画像２０の各移動方向指示部を操作（タップ操作、長押し操作）することにより、第一カーソル１０１を動かす。また、図１９に示す携帯端末では、第二指示画像３０は入力文字表示画面１２０の右下端部に表示されている。この場合、ユーザは、図１９（ａ）に示すように、右手の親指以外の指で携帯端末の左側面又は裏面を押さえると共に第二指示画像３０の上方に右手の親指を配置する。第二指示画像３０の操作はその上方に配されている親指で行う。すなわち、図１９（ｂ）及び（ｃ）に示すように、ユーザは、右手の親指を用いて、第二指示画像３０の各移動方向指示部を操作（タップ操作、長押し操作）することにより、第二カーソル１０２を動かす。
【００７４】
尚、指示画像を一つだけ表示した場合に、文字入力作業時における携帯端末の持ち方及び指示画像の操作の仕方は、上記の方法に限られない。図２０に携帯端末の持ち方及び指示画像の操作の仕方の他の例を示す。この図２０（ａ），（ｂ）に示す各携帯端末では、第二指示画像３０が入力文字表示画面１２０の中心線上に配されている。携帯端末が小型ものものであれば、ユーザは、図２０（ａ）に示すように、図１９の例と同様に、例えば右手の親指を用いて第二指示画像３０を操作することができる。また、ユーザは、図２０（ｂ）に示すように、左手で携帯端末を持ち、右手の人差し指を用いて第二指示画像３０を操作するようにしてもよい。
【００７５】
次に、ユーザが第一指示画像２０及び第二指示画像３０を操作して文字入力を行う際の処理手順について説明する。ここでは、具体例として、電子メールを作成する場合の処理手順を説明する。図２１は電子メールを作成する場合の処理手順を説明するためのフローチャートである。図２２〜図２４は電子メールを作成する場合におけるメール送信・作成画面での操作の手順を説明するための図である。
【００７６】
まず、ユーザは、アプリケーション画面において電子メールのアプリケーションプログラムのアイコンを選択する。制御手段６０は、そのアイコンが選択された旨の信号を受け取ると、そのアプリケーションプログラムを起動する（Ｓ１１）。このとき、制御手段６０の表示制御手段６１は、表示手段１０の画面上に、図２２（ａ）に示すようなメール送信・作成画面１００ａ、第一指示画像２０及び第二指示画像３０、第一カーソル１０１及び第二カーソル１０２を表示する（Ｓ１２）。ここで、第一指示画像２０は入力文字表示画面の左下端部に、第二指示画像３０は入力文字表示画面の右下端部に表示される。また、このとき、表示制御手段６１は、キーボード画像１１０、各指示画像２０，３０及び各カーソル１０１，１０２についての表示領域情報を記憶手段４０に記憶して管理する。
【００７７】
メール送信・作成画面１００ａには、キーボード画像１１０と、入力文字表示画面としてのメッセージ作成表示画面１２０ａとが含まれる。メッセージ作成表示画面１２０ａは、宛先入力欄１２１と、宛先入力完了ボタン１２２と、題名入力欄１２３と、題名入力完了ボタン１２４と、本文入力欄１２５と、送信ボタン１２６とを有する。宛先入力欄１２１は、メールを送信する相手方のメールアドレスを入力するための欄である。宛先入力完了ボタン１２２は、宛先入力欄１２１における入力が完了したことを指示するためのボタンである。題名入力欄１２３は、メールの題名を入力するための欄である。題名入力完了ボタン１２４は、題名入力欄１２３における入力が完了したことを指示するためのボタンである。また、本文入力欄１２５は、メールの本文を入力するための欄である。送信ボタン１２６は、メールを送信することを指示するためのボタンである。尚、図２２〜図２４では、宛先入力完了ボタン１２２を宛先入力欄１２１の近傍に設け、題名入力完了ボタン１２４を題名入力欄１２３の近傍に設けているが、例えば、これら完了ボタン１２２，１２４をキーボード画像１１０に設けるようにしてもよい。
【００７８】
こうして、表示手段１０の画面上にメール送信・作成画面１００ａが表示されると、表示制御手段６１は、入力位置用カーソル（不図示）を宛先入力欄１２１に表示させる（Ｓ１３）。この入力位置用カーソルは、文字入力が可能な欄を示すと共に文字の入力位置を示すものである。ユーザは、図２２（ａ）に示すように、指示画像２０，３０の各指示部を操作して、宛先入力欄１２１にメールアドレスを入力することになる。例えば、文字「ａ」を入力する場合、ユーザは、第一指示画像２０の移動方向指示部を操作して第一カーソル１０１をキーボード画像において文字「ａ」と対応付けられた文字キーのところに移動させた後、第一指示画像２０の選択指示部２２をタップする。このとき、制御手段６０は、ユーザによる指示画像２０，３０の操作内容に応じて、カーソル移動・文字入力処理を行う（Ｓ１４）。すなわち、表示制御手段６１は、操作判定手段６２から送られる、第一指示画像２０に対する第一操作が行われた旨の信号や第二指示画像３０に対する第三操作が行われた旨の信号に基づいて、第一カーソル１０１及び第二カーソル１０２の移動を制御し、入力制御手段６３は、操作判定手段６２から送られる、第一指示画像２０に対する第二操作が行われた旨の信号や第二指示画像３０に対する第四操作が行われた旨の信号に基づいて、文字の入力等を制御する。ユーザは、宛先入力欄１２１への入力が終了すると、図２２（ｂ）に示すように、例えば第二カーソル１０２を宛先入力完了ボタン１２２のところに移動させて第二指示画像３０の選択指示部３２をタップすることにより、宛先入力完了ボタン１２２を選択する。入力制御手段６３は、第二カーソル１０２が宛先入力完了ボタン１２２を指し示しているときに、操作判定手段６２から第二指示画像３０に対する第四操作が行われた旨の信号を受け取り、宛先入力が完了したことを認識すると（Ｓ１５）、入力位置用カーソルを題名入力欄１２３に表示させる（Ｓ１６）。これにより、文字入力が可能な欄が、宛先入力欄１２１から題名入力欄１２３に切り替わる。
【００７９】
次に、ユーザは、図２３（ａ）に示すように、指示画像２０，３０の各指示部を操作して、題名入力欄１２３に題名を入力する。このとき、制御手段６０は、ユーザによる指示画像２０，３０の操作内容に応じて、カーソル移動・文字入力処理を行う（Ｓ１７）。ユーザは、題名入力欄１２３への入力が終了すると、図２３（ｂ）に示すように、例えば第二カーソル１０２を題名入力完了ボタン１２４のところに移動させて第二指示画像３０の選択指示部３２をタップすることにより、題名入力完了ボタン１２４を選択する。入力制御手段６３は、第二カーソル１０２が題号入力完了ボタン１２４を指し示しているときに、操作判定手段６２から第二指示画像３０に対する第四操作が行われた旨の信号を受け取り、題号入力が完了したことを認識すると（Ｓ１８）、入力位置用カーソルを本文入力欄１２５に表示させる（Ｓ１９）。これにより、文字入力が可能な欄が、題名入力欄１２３から本文入力欄１２５に切り替わる。
【００８０】
その後、ユーザは、図２４（ａ）に示すように、指示画像２０，３０の各指示部を操作して、本文入力欄１２５にメールの本文を入力する。このとき、制御手段６０は、ユーザによる指示画像２０，３０の操作内容に応じて、カーソル移動・文字入力処理を行う（Ｓ２０）。ユーザは、本文入力欄１２５への入力が終了すると、図２４（ｂ）に示すように、例えば第一カーソル１０１を送信ボタン１２６のところに移動させて第一指示画像２０の選択指示部２２をタップすることにより、送信ボタン１２６を選択する。入力制御手段６３は、第一カーソル１０１が送信ボタン１２６を指し示しているときに、操作判定手段６２から第一指示画像２０に対する第二操作が行われた旨の信号を受け取り、送信ボタンが選択されたことを認識すると（Ｓ２１）、メールを送信する処理を行う（Ｓ２２）。その後、入力制御手段６３は、メール送信・作成画面１００ａを終了させ（Ｓ２３）、文字入力画面以外の所定の画面を表示させる。このとき、指示画像２０，３０及びカーソル１０１，１０２も終了する。
【００８１】
次に、制御手段６０が行うカーソル移動・文字入力処理の手順について説明する。図２５は制御手段６０が行うカーソル移動・文字入力処理の手順を説明するためのフローチャートである。ここでは、ユーザが第一指示画像２０及び第二指示画像３０を操作して文字の入力を行う場合を考える。
【００８２】
まず、操作判定手段６２は、タッチパネル７０の位置検知手段７１から接触位置情報が送られてきたかどうかを判断する（Ｓ３１）。操作判定手段６２は、接触位置情報が送られてきていないと判断すると、第一指示画像２０が操作されない時間が一定時間（無操作時間）を経過したかどうか、及び、第二指示画像３０が操作されない時間が一定時間（無操作時間）を経過したかどうかを判断する。そして、操作判定手段６２は、指示画像が操作されない時間が一定時間（無操作時間）を経過したと判断すると、その旨の信号をカーソル表示制御手段６１ｂに出力し、カーソル表示制御手段６１ｂは、その信号に基づいて、対応するカーソルをその基準位置に復帰させる。その後は、ステップＳ３１に移行する。一方、操作判定手段６２は、ステップＳ３１の処理において、接触位置情報が送られてきたと判断すると、記憶手段４０に記憶されている指示画像表示領域情報に基づいて、第一指示画像２０の移動方向指示部又は第二指示画像３０の移動方向指示部を接触する操作が行われたかどうかを判断する（Ｓ３２）。
【００８３】
操作判定手段６２は、第一指示画像２０の移動方向指示部を接触する操作が行われたと判断すると、その操作が行われている間、第一指示画像２０に対する第一操作が行われた旨の信号をカーソル表示制御手段６１ｂに出力し、第二指示画像３０の移動方向指示部を接触する操作が行われたと判断すると、その操作が行われている間、第二指示画像３０に対する第三操作が行われた旨の信号をカーソル表示制御手段６１ｂに出力する（Ｓ３３）。そして、カーソル表示制御手段６１ｂは、その信号に基づいて、第一カーソル１０１又は第二カーソル１０２の移動を制御する（Ｓ３４）。具体的に、第一指示画像２０に対する第一操作が行われた旨の信号が送られてきた場合、カーソル表示制御手段６１ｂは、その信号が送られている間、当該第一操作の対象となった移動方向指示部によって示される移動方向に第一カーソル１０１が移動するように、文字入力画面１００上で第一カーソル１０１の移動を制御する。また、第二指示画像３０に対する第三操作が行われた旨の信号が送られてきた場合には、カーソル表示制御手段６１ｂは、その信号が送られている間、当該第三操作の対象となった移動方向指示部によって示される移動方向に第二カーソル１０２が移動するように、文字入力画面１００上で第二カーソル１０２の移動を制御する。更に、カーソル表示制御手段６１ｂは、操作判定手段６２からの信号に基づいて、指示画像２０，３０を用いて各カーソルを基準位置に復帰させるための操作がなされたと判断したときに、対応するカーソルをその基準位置に復帰させる。
【００８４】
一方、操作判定手段６２は、ステップＳ３２の処理における判断が否定的である場合、第一指示画像２０の選択指示部２２又は第二指示画像３０の選択指示部３２を接触する操作が行われたかどうかを判断する（Ｓ３５）。操作判定手段６２は、第一指示画像２０の選択指示部２２を接触する操作が行われたと判断すると、第一指示画像２０に対する第二操作が行われた旨の信号を入力制御手段６３に出力し、第二指示画像３０の選択指示部３２を接触する操作が行われたと判断すると、第二指示画像３０に対する第四操作が行われた旨の信号を入力制御手段６３に出力する（Ｓ３６）。そして、入力制御手段６３は、その信号に基づいて、文字の入力を制御したり、所定の機能を実現するための処理を行ったりする（Ｓ３７）。
【００８５】
具体的に、入力制御手段６３は、操作判定手段６２から第一指示画像２０に対する第二操作が行われた旨の信号が送られてきた場合に、第一カーソル１０１が現在、文字キーを指し示していれば、当該文字キーと対応付けられた文字を、入力位置用カーソルが現在示している位置に表示させ、第二指示画像３０に対する第四操作が行われた旨の信号が送られてきた場合に、第二カーソル１０２が現在、文字キーを指し示していれば、当該文字キーと対応付けられた文字を、入力位置用カーソルが現在示している位置に表示させる。
【００８６】
また、入力制御手段６３は、操作判定手段６２から第一指示画像２０に対する第二操作が行われた旨の信号が送られてきた場合に、第一カーソル１０１が現在、機能キーを指し示していれば、当該機能キーに付与された機能を実現するための処理を行い、第二指示画像３０に対する第四操作が行われた旨の信号が送られてきた場合に、第二カーソル１０２が現在、機能キーを指し示していれば、当該機能キーに付与された機能を実現するための処理を行う。例えば、当該機能キーがスペースキーである場合には、入力制御手段６３は、入力位置用カーソルが示す位置に未確定状態の入力文字があれば、その未確定状態の入力文字について変換を行い、その変換した文字を文字変換候補表示部１１５に表示させる。ここで、未確定状態の入力文字には例えばアンダーラインが付されている。また、当該機能キーがEnterキーである場合には、入力制御手段６３は、入力位置用カーソルが示す位置に未確定状態の入力文字があれば、その未確定状態の入力文字を文字変換候補表示部１１５に表示されている文字に確定する。
【００８７】
更に、操作判定手段６２から第一指示画像２０に対する第二操作が行われた旨の信号と第二指示画像３０に対する第四操作が行われた旨の信号が同時に送られた場合に、入力制御手段６３は、入力位置用カーソルが示す位置に未確定状態の入力文字があれば、その未確定状態の入力文字について変換を行い、その変換した文字を文字変換候補表示部１１５に表示させる。そして、操作判定手段６２から第一指示画像２０に対する第二操作が行われた旨の信号若しくは第二指示画像３０に対する第四操作が行われた旨の信号を二回連続して送られた場合、又は、操作判定手段６２から第一指示画像２０に対する第二操作が行われた旨の信号と第二指示画像３０に対する第四操作が行われた旨の信号が同時に且つ二回連続して送られた場合に、入力制御手段６３は、入力位置用カーソルが示す位置に未確定状態の入力文字があれば、その未確定状態の入力文字を文字変換候補表示部１１５に表示されている文字に確定する。
【００８８】
第一実施形態の携帯端末では、文字入力画面に第一カーソル及び第二カーソルを表示し、第一カーソルの移動方向等を指示するための第一指示画像と、第二カーソルの移動方向等を指示するための第二指示画像とをそれぞれ、表示手段の画面上に表示している。これら第一指示画像及び第二指示画像は表示手段の画面上のどこにでも表示可能である。具体的に、指示画像表示制御手段は、第一指示画像の表示領域又は第二指示画像の表示領域についてその表示位置、大きさ又は形状の変更が指示されたときに、その指示された内容にしたがって表示手段の画面上における当該指示画像の表示領域を変更する。これにより、ユーザは、第一指示画像の表示領域と第二指示画像の表示領域とを自分が操作しやすい位置に或いは大きさ・形状にいつでも変更することができるので、文字の入力作業の際の操作性の向上を図ることができる。また、本実施形態では、従来の携帯電話で用いられていた、カーソルを操作するための機械式の指示ボタンを表示画面の周囲に設ける必要がないので、携帯端末の小型化を図ることができる。
【００８９】
また、第一実施形態の携帯端末では、第一指示画像及び第二指示画像をそれぞれ、当該携帯端末の端部の近傍における表示手段の画面上の所定の領域に表示すれば、ユーザは、文字入力に際して、第一指示画像の表示領域の近くの携帯端末の端部と第二指示画像の表示領域の近くの携帯端末の端部とをそれぞれの手で掴むことになるので、携帯端末を両手で安定して保持することができる。また、このように携帯端末を両手で保持した状態のまま、ユーザは、それぞれの手の親指等を用いて第一指示画像の各指示部、第二指示画像の各指示部を操作することができるので、入力作業を迅速且つ正確に行うことができる。しかも、ユーザは、携帯端末を両手で保持した状態のまま、それぞれの手の親指等を用いて第一指示画像の各指示部、第二指示画像の各指示部を操作して、所望の機能キー画像を迅速に選択することができる。
【００９０】
また、第一実施形態の携帯端末では、第一カーソルと第二カーソルとでは、形状、色、内側に引いた線、模様の各要素のうち少なくとも一つの要素が異なっている。これにより、ユーザは、文字入力画面に表示される各カーソルが、当該異なる要素に基づいて、第一指示画像及び第二指示画像のうちいずれの指示画像に対応するものであるかを容易に判断することができる。
【００９１】
更に、第一実施形態の携帯端末では、カーソル表示制御手段は、キーボード画像上で第一カーソル及び第二カーソルの移動を制御する際、当該カーソルをキー単位で移動させることができる。これにより、ユーザはキーボード画像上で各カーソルを所望のキーのところに移動させる操作を簡単に且つ正確に行うことができるので、操作ミスを少なくすることができる。
【００９２】
また、第一実施形態の携帯端末では、各指示画像を用いて各カーソルを基準位置に復帰させるための操作がなされたとき、或いは、第一指示画像又は第二指示画像が予め設定した一定時間操作されなかったときに、対応するカーソルをその基準位置に復帰させることができる。したがって、第一実施形態では、ユーザは各カーソルを基準位置に復帰させることによって当該カーソルの位置を容易且つ迅速に認識することができ、また各カーソルを基準位置から所望のキー画像に短い移動距離で移動することができるので、文字入力を効率よく行うことができる。
【００９３】
ところで、上記の第一実施形態では、第一指示画像及び第二指示画像としてそれぞれ、８つの移動方向指示部と、それら移動方向指示部の中央に設けられた選択指示部とを有するものを用いた場合について説明したが、第一指示画像及び第二指示画像としてはそれぞれ、一つの環状の移動方向指示部と、その移動方向指示部の中央に設けられた選択指示部とを有するものを用いてもよい。図２６は第一実施形態の変形例である携帯端末の概略正面図、図２７はこの変形例における第一指示画像２０ａ及び第二指示画像３０ａの例を説明するための図である。この変形例では、図２６及び図２７（ａ）に示すように、第一指示画像２０ａは、円環状に構成された移動方向指示部２１と、その移方向指示部２１の中央に設けられた選択指示部２２とを有し、第二指示画像３０ａは、四角の環状に構成された移動方向指示部３１と、その移動方向指示部３１の中央に設けられた選択指示部３２とを有する。すなわち、第一実施形態における第一指示画像２０の８つの移動方向指示部の区分をなくしたものが、この変形例における第一指示画像２０ａの移動方向指示部２１であり、第一実施形態における第二指示画像３０の８つの移動方向指示部の区分をなくしたものが、この変形例における第二指示画像３０ａの移動方向指示部３１である。また、この変形例における選択指示部２２，３２の役割は、第一実施形態と同じである。
【００９４】
尚、第一指示画像２０ａ及び第二指示画像３０ａの全体形状としては、円や正方形等に限られない。例えば、第一指示画像２０ａ及び第二指示画像３０ａの全体形状としてはそれぞれ、図２７（ｂ）に示すように、横長楕円の形状、横長長方形の形状であってもよく、或いは、図２７（ｃ）に示すように、縦長楕円の形状、縦長長方形の形状であってもよい。
【００９５】
この場合、制御手段による各カーソルの移動制御は次のように行われる。記憶手段には、表示手段１０の画面上における所定の表示領域に第一指示画像２０ａの移動方向指示部２１及び選択指示部２２を表示するための第一指示画像表示領域情報（位置情報、形状の情報、大きさの情報、色の情報等を含む。）、表示手段１０の画面上における所定の表示領域に第二指示画像３０ａの移動方向指示部３１及び選択指示部３２を表示するための第二指示画像表示領域情報（位置情報、形状の情報、大きさの情報、色の情報等を含む。）が記憶されている。制御手段の操作判定手段は、タッチパネルの位置検知手段から接触位置情報が送られると、記憶手段に記憶されている指示画像表示領域情報（第一指示画像表示領域情報、第二指示画像表示領域情報）に基づいて、第一カーソル１０１の移動方向を指示する第一操作が第一指示画像２０ａに対して行われたかどうか、第二カーソル１０２の移動方向を指示する第三操作が第二指示画像３０ａに対して行われたかどうかを判断する。ここで、第一操作は、第一指示画像２０ａの移動方向指示部２１を接触する操作（例えばタップ操作、長押し操作）であり、第三操作は、第二指示画像３０ａの移動方向指示部３１を接触する操作（例えばタップ操作、長押し操作）である。そして、操作判定手段は、第一指示画像２０ａに対する第一操作が行われたと判断すると、当該第一操作が行われている間、第一指示画像２０ａに対する第一操作が行われた旨の信号と第一指示画像２０ａの中心位置から当該接触された位置に向かう方向（第一操作によって指示された方向）を特定する信号とをカーソル表示制御手段に出力し、第二指示画像３０ａに対する第三操作が行われたと判断すると、当該第三操作が行われている間、第二指示画像３０ａに対する第三操作が行われた旨の信号と第二指示画像３０ａの中心位置から当該接触された位置に向かう方向（第三操作によって指示された方向）を特定する信号とをカーソル表示制御手段に出力する。カーソル表示制御手段は、操作判定手段から第一指示画像２０ａに対する第一操作が行われた旨の信号が送られたときに、その信号が送られている間、その信号とともに送られた方向を特定する信号によって示される方向に第一カーソル１０１が移動するように文字入力画面上での第一カーソル１０１の移動を制御し、操作判定手段から第二指示画像３０ａに対する第三操作が行われた旨の信号が送られたときに、その信号が送られている間、その信号とともに送られた方向を特定する信号によって示される方向に第二カーソル１０２が移動するように文字入力画面上での第二カーソル１０２の移動を制御する。尚、この変形例における指示画像を用いる場合も、例えば各指示画像を上述した第一実施形態の各指示画像と同様に操作することにより、各カーソルを基準位置に復帰させることができる。
【００９６】
この変形例では、例えば、ユーザが第一指示画像の移動方向指示部における所望の位置をタップすると、第一カーソルは文字入力画面上において第一指示画像の中心位置から当該タップした位置に向かう方向と平行に移動することになる。同様に、ユーザが第二指示画像の移動方向指示部における所望の位置をタップすると、第二カーソルは文字入力画面上において第二指示画像の中心位置から当該タップした位置に向かう方向と平行に移動することになる。このように、この変形例の携帯端末では、各カーソルの移動方向が８つの方向に限られていないので、上記第一実施形態に比べて、ユーザが各カーソルを所望の方向に正確に移動させることができるという利点がある。
【００９７】
［第二実施形態］
次に、本発明の第二実施形態について図面を参照して説明する。図２８は本発明の第二実施形態である携帯端末の概略正面図である。また、第二実施形態の携帯端末の概略ブロック図は図２と全く同じである。このため、ここでは、図２を第二実施形態の携帯端末の概略ブロック図としても用いることにする。尚、第二実施形態において、第一実施形態のものと同一の機能を有するものには、同一の符号を付すことにより、その詳細な説明を省略する。
【００９８】
第二実施形態の携帯端末は、図２及び図２８に示すように、表示手段１０と、複数の操作ボタン（不図示）と、記憶手段４０と、通信手段５０と、制御手段６０と、タッチパネル７０とを具備する。また、制御手段６０は、表示制御手段６１と、操作判定手段６２と、入力制御手段６３とを備え、表示制御手段６１は、指示画像表示制御手段６１ａと、カーソル表示制御手段６１ｂと、キーボード画像表示制御手段６１ｃとを含んでいる。
【００９９】
この第二実施形態の携帯端末が第一実施形態のものと異なる主な点は、表示手段１０の画面上に表示される第一指示画像及び第二指示画像をそれぞれ単一の閉曲線で構成した点である。ここで、閉曲線とは両端の一致した連続曲線をいい、曲線には線分が含まれる。円、楕円、四角形等が閉曲線の代表例である。図２９は第二実施形態における第一指示画像２００及び第二指示画像３００の例を説明するための図である。第二実施形態では、図２８及び図２９（ａ）に示すように、第一指示画像２００を、円を表す閉曲線で構成し、第二指示画像３００を、正方形を表す閉曲線で構成している。このように、第一指示画像２００及び第二指示画像３００をそれぞれ、移動方向指示部及び選択指示部を設けずに、単一の閉曲線で構成した場合にも、第一指示画像２００は、第一カーソル１０１についての移動方向を指示すると共に第一カーソル１０１がキーボード画像上で現在指し示しているキーの選択を指示するために用いられ、第二指示画像３００は、第二カーソル１０２についての移動方向を指示すると共に第二カーソル１０２がキーボード画像上で現在指し示しているキーの選択を指示するために用いられる。
【０１００】
尚、第一指示画像２００及び第二指示画像３００の形状としては、円や正方形等に限られない。例えば、第一指示画像２００及び第二指示画像３００をそれぞれ、図２９（ｂ）に示すように、横長の楕円を表す閉曲線、横長の長方形を表す閉曲線で構成したり、或いは、図２９（ｃ）に示すように、縦長の楕円を表す閉曲線、縦長の長方形を表す閉曲線で構成したりしてもよい。
【０１０１】
第二実施形態では、制御手段６０による各カーソルの移動制御及び文字入力制御は次のように行われる。記憶手段４０には、表示手段１０の画面上における所定の表示領域に第一指示画像２００を表示するための第一指示画像表示領域情報（位置情報、形状の情報、大きさの情報等を含む。）及び表示手段１０の画面上における所定の表示領域に第二指示画像３００を表示するための第二指示画像表示領域情報（位置情報、形状の情報、大きさの情報等を含む。）が記憶されている。操作判定手段６２は、タッチパネル７０の位置検知手段７１から接触位置情報が送られたときに、当該接触位置情報及び記憶手段４０に記憶されている指示画像表示領域情報（第一指示画像表示領域情報、第二指示画像表示領域情報）に基づいて、第一指示画像２００に対する第一操作として第一指示画像２００をフリックする操作（タッチパネルを弾くように指で払う操作）が行われたかどうか、第一指示画像２００に対する第二操作として第一指示画像２００をタップする操作（指で画面を軽く叩く操作）が行われたかどうか、第二指示画像３００に対する第三操作として第二指示画像３００をフリックする操作が行われたかどうか、第二指示画像３００に対する第四操作として第二指示画像３００をタップする操作が行われたかどうかを判断する。そして、操作判定手段６２は、第一指示画像２００をフリックする操作が行われたと判断したときに、第一指示画像２００に対する第一操作が行われた旨の信号をカーソル表示制御手段６１ｂに出力し、第二指示画像３００をフリックする操作が行われたと判断したときに、第二指示画像３００に対する第三操作が行われた旨の信号をカーソル表示制御手段６１ｂに出力する。一方、操作判定手段６２は、第一指示画像２００をタップする操作が行われたと判断したときに、第一指示画像２００に対する第二操作が行われた旨の信号を入力制御手段６３に出力し、第二指示画像３００をタップする操作が行われたと判断したときに、第二指示画像３００に対する第四操作が行われた旨の信号を入力制御手段６３に出力する。
【０１０２】
カーソル表示制御手段６１ｂは、操作判定手段６２から第一指示画像２００に対する第一操作が行われた旨の信号が送られたときに、当該第一操作（フリック操作）によって指示された方向に第一カーソル１０１が移動するように文字入力画面上での第一カーソル１０１の移動を制御すると共に、操作判定手段６２から第二指示画像３００に対する第三操作が行われた旨の信号が送られたときに、当該第三操作（フリック操作）によって指示された方向に第二カーソル１０２が移動するように文字入力画面上での第二カーソル１０２の移動を制御する。このように、ユーザが各指示画像を表す閉曲線の内部でフリックすると、そのフリックした方向に当該指示画像に対応するカーソルが移動することになる。ここで、カーソル表示制御手段６１ｂは、カーソルを、フリック操作の際の指の移動距離に応じた距離だけ移動することが望ましい。これにより、フリック操作の際の指の移動距離が長いと、カーソルは長く移動することになる。このフリック操作の際の指の移動距離に応じたカーソルの移動距離は、所定の設定画面を用いて調整することが可能である。
【０１０３】
尚、カーソル表示制御手段６１ｂは、ユーザが指示画像をドラッグしたときにも、そのドラッグした方向に当該指示画像に対応するカーソルが移動するようにカーソルの移動を制御するようにしてもよい。この場合、操作判定手段６２は、タッチパネル７０の位置検知手段７１から接触位置情報が送られたときに、当該接触位置情報及び記憶手段４０に記憶されている指示画像表示領域情報に基づいて、第一指示画像２００をドラッグする操作が行われたかどうか、第二指示画像３００をドラッグする操作が行われたかどうかを判断する。そして、操作判定手段６２は、第一指示画像２００をドラッグする操作が行われたと判断したときに、第一指示画像２００に対する第一操作が行われた旨の信号をカーソル表示制御手段６１ｂに出力し、第二指示画像３００をドラッグする操作が行われたと判断したときに、第二指示画像３００に対する第三操作が行われた旨の信号をカーソル表示制御手段６１ｂに出力する。カーソル表示制御手段６１ｂは、操作判定手段６２から第一指示画像２００に対する第一操作が行われた旨の信号が送られたときに、当該第一操作（ドラッグ操作）によって指定された方向に第一カーソル１０１が移動するように文字入力画面上での第一カーソル１０１の移動を制御すると共に、操作判定手段６２から第二指示画像３００に対する第三操作が行われた旨の信号が送られたときに、当該第三操作（ドラッグ操作）によって指定された方向に第二カーソル１０２が移動するように文字入力画面上での第二カーソル１０２の移動を制御する。このように、フリック操作とドラッグ操作のいずれの操作によってもカーソルを移動することができるが、フリック操作によるカーソル移動では、カーソルを素早く移動することができ、ドラッグ操作によるカーソル移動では、カーソルを所望の位置に正確に移動することができる。尚、カーソル移動は、ドラッグ操作のみで行うようにしてもよい。
【０１０４】
入力制御手段６３は、操作判定手段６２から第一指示画像２００に対する第二操作（タップ操作）が行われた旨の信号が送られたときに、第一カーソル１０１が現在、文字キーを指し示していれば、当該文字キーと対応付けられた文字の入力を制御し、一方、第一カーソル１０１が現在、機能キーを指し示していれば、当該機能キーに付与された機能を実現するための処理を実行する。また、入力制御手段６３は、操作判定手段６２から第二指示画像３００に対する第四操作（タップ操作）が行われた旨の信号が送られたときに、第二カーソル１０２が現在、文字キーを指し示していれば、当該文字キーと対応付けられた文字の入力を制御し、一方、第二カーソル１０２が現在、機能キーを指し示していれば、当該機能キーに付与された機能を実現するための処理を実行する。このように、ユーザが各指示画像を表す閉曲線の内部をタップすると、当該指示画像に対応するカーソルが現在指し示しているキーが選択され、文字入力等の処理が行われることになる。尚、このキーの選択を行うためのタップ操作の回数は、所定の設定画面を用いて、１回、２回等に設定することが可能である。
【０１０５】
また、第一実施形態と同様に、第一指示画像２００と第二指示画像３００とを同時に一回タップすること（第二操作と第四操作とを同時に行うこと）により、入力制御手段６３は入力文字の変換を行い、第一指示画像２００及び第二指示画像３００のうちいずれか一方の指示画像を二回連続してタップすること（第二操作若しくは第四操作を二回連続して行うこと）により、又は、第一指示画像２００と第二指示画像３００とを同時に二回連続してタップすること（第二操作と第四操作とを同時に行うという操作を二回連続して行うこと）により、入力制御手段６３は入力文字の変換を確定させることになる。尚、入力文字の変換及びその確定を行うための操作は上記の操作に限られない。例えば、第一指示画像２００及び第二指示画像３００のうちいずれか一方の指示画像を二回連続してタップすることにより、入力制御手段６３が文字の変換を行い、第一指示画像２００と第二指示画像３００とを同時に一回タップすることにより、入力制御手段６３が入力文字の変換の確定を行うようにしてもよい。また、一般には、第一指示画像２００及び第二指示画像３００をタップする組合せ等に応じた、様々な指令を設定することが可能である。
【０１０６】
第二実施形態の携帯端末では、各指示画像の表示位置や大きさを、次のようにして簡単に変更することができる。例えば、ユーザが指示画像を一定時間以上長押しした後にドラッグすると、当該指示画像はそのドラッグされた方向に移動する。具体的に、操作判定手段６２は、タッチパネル７０の位置検知手段７１から接触位置情報が送られてきた場合、当該接触位置情報及び記憶手段４０に記憶されている指示画像表示領域情報に基づいて、第一指示画像２００又は第二指示画像３００を一定時間以上長押しした後にドラッグする操作が行われたかどうかを判断する。そして、操作判定手段６２は、第一指示画像２００又は第二指示画像３００を一定時間以上長押しした後にドラッグする操作が行われたと判断したときに、当該指示画像に対して長押し操作の後に当該ドラッグされた方向に沿ってドラッグ操作が行われた旨の信号を指示画像表示制御手段６１ａに出力する。指示画像表示制御手段６１ａは、操作判定手段６２から第一指示画像２００又は第二指示画像３００に対して長押し操作の後に所定の方向に沿ってドラッグ操作が行われた旨の信号が送られたときに、当該方向に当該指示画像の表示位置が移動するように表示手段１０の画面上における当該指示画像の表示位置を制御する。このように、ユーザは一定時間以上の長押し操作とドラッグ操作の組合せにより、表示手段１０の画面上における各指示画像の表示位置をいつでも容易に変更することができる。尚、指示画像の表示領域内をドラッグ若しくはフリックした場合でも、画面全体がスクロールすることはない。すなわち、指示画像の表示領域内は表示手段１０の画面における他の表示部分とは独立している。
【０１０７】
また、例えば、ユーザが指示画像に対してピンチインする操作（二本の指で画面を押さえながら指の間隔を狭める操作）を行うと、当該指示画像の大きさが全体的に縮小し、一方、ユーザが各指示画像に対してピンチアウトする操作（二本の指で画面を押さえながら指の間隔を広げる操作）を行うと、当該指示画像の大きさが全体的に拡大する。具体的に、操作判定手段６２は、タッチパネル７０の位置検知手段７１から接触位置情報が送られたときに、当該接触位置情報及び記憶手段４０に記憶されている指示画像表示領域情報に基づいて、第一指示画像２００又は第二指示画像３００をピンチインする操作又はピンチアウトする操作が行われたかどうかを判断する。そして、操作判定手段６２は、第一指示画像２００又は第二指示画像３００をピンチインする操作が行われたと判断したときに、当該指示画像に対してピンチイン操作が行われた旨の信号を指示画像表示制御手段６１ａに出力し、第一指示画像２００又は第二指示画像３００をピンチアウトする操作が行われたと判断したときに、当該指示画像に対してピンチアウト操作が行われた旨の信号を指示画像表示制御手段６１ａに出力する。指示画像表示制御手段６１ａは、操作判定手段６２から第一指示画像２００又は第二指示画像３００に対してピンチイン操作が行われた旨の信号が送られたときに、表示手段１０の画面上における当該指示画像の大きさを縮小し、操作判定手段６２から第一指示画像２００又は第二指示画像３００に対してピンチアウト操作が行われた旨の信号が送られたときに、表示手段１０の画面上における当該指示画像の大きさを拡大する。これにより、ユーザは、第一指示画像２００及び第二指示画像３００についてその表示領域の大きさをいつでも容易に変更することができる。
【０１０８】
尚、各指示画像の形状や大きさを変えるための操作として、次のような操作内容を設定することも可能である。すなわち、例えば、指示画像の上端と下端をそれぞれ指で押さえてピンチインすると、当該指示画像の形状が上下方向に縮み、指示画像の右端と左端をそれぞれ指で押さえてピンチインすると、当該指示画像の形状が左右方向に縮む。指示画像の上端と下端をそれぞれ指で押さえてピンチアウトすると、当該指示画像の形状が上下方向に広がり、指示画像の右端と左端をそれぞれ指で押さえてピンチアウトすると、当該指示画像の形状が左右方向に広がる。また、指示画像の内部において対角線上を二つの指で押さえてピンチインすると、当該指示画像が同じ形状のまま小さくなり、指示画像の内部において対角線上を二つの指で押さえてピンチアウトすると、当該指示画像が同じ形状のまま大きくなる。
【０１０９】
また、第二実施形態の携帯端末では、キーボード画像の表示位置や大きさを、次のようにして変更することができる。例えば、ユーザがキーボード画像を一定時間以上長押しした後にドラッグすると、キーボード画像はそのドラッグされた方向に移動する。具体的に、操作判定手段６２は、タッチパネル７０の位置検知手段７１から接触位置情報が送られてきた場合、当該接触位置情報及び記憶手段４０に記憶されているキーボード画像表示領域情報に基づいて、キーボード画像を一定時間以上長押しした後にドラッグする操作が行われたかどうかを判断する。そして、操作判定手段６２は、キーボード画像を一定時間以上長押しした後にドラッグする操作が行われたと判断したときに、キーボード画像に対して長押し操作の後に当該ドラッグされた方向に沿ってドラッグ操作が行われた旨の信号をキーボード画像表示制御手段６１ｃに出力する。キーボード画像表示制御手段６１ｃは、操作判定手段６２からキーボード画像に対して長押し操作の後に所定の方向に沿ってドラッグ操作が行われた旨の信号が送られたときに、当該方向にキーボード画像の表示位置が移動するように表示手段１０の画面上におけるキーボード画像の表示位置を制御する。このように、ユーザは一定時間以上の長押し操作とドラッグ操作の組合せにより、表示手段１０の画面上におけるキーボード画像の表示位置をいつでも容易に変更することができる。尚、キーボード画像の表示領域内をドラッグ若しくはフリックした場合、画面全体がスクロールすることはない。すなわち、キーボード画像の表示領域内は表示手段１０の画面における他の表示部分とは独立している。
【０１１０】
また、例えば、ユーザがキーボード画像に対してピンチインする操作を行うと、キーボード画像の大きさが全体的に縮小し、一方、ユーザがキーボード画像に対してピンチアウトする操作を行うと、キーボード画像の大きさが全体的に拡大する。具体的に、操作判定手段６２は、タッチパネル７０の位置検知手段７１から接触位置情報が送られたときに、当該接触位置情報及び記憶手段４０に記憶されているキーボード画像表示領域情報に基づいて、キーボード画像をピンチインする操作又はピンチアウトする操作が行われたかどうかを判断する。そして、操作判定手段６２は、キーボード画像をピンチインする操作が行われたと判断したときに、キーボード画像に対してピンチイン操作が行われた旨の信号をキーボード画像表示制御手段６１ｃに出力し、キーボード画像をピンチアウトする操作が行われたと判断したときに、キーボード画像に対してピンチアウト操作が行われた旨の信号をキーボード画像表示制御手段６１ｃに出力する。キーボード画像表示制御手段６１ｃは、操作判定手段６２からキーボード画像に対してピンチイン操作が行われた旨の信号が送られたときに、表示手段１０の画面上におけるキーボード画像の大きさを縮小し、操作判定手段６２からキーボード画像に対してピンチアウト操作が行われた旨の信号が送られたときに、表示手段１０の画面上におけるキーボード画像の大きさを拡大する。これにより、ユーザは、キーボード画像についてその表示領域の大きさをいつでも容易に変更することができる。
【０１１１】
尚、キーボード画像の形状や大きさを変えるための操作として、次のような操作内容を設定することも可能である。すなわち、キーボード画像の上端と下端をそれぞれ指で押さえてピンチインすると、当該キーボード画像の形状が上下方向に縮み、キーボード画像の右端と左端をそれぞれ指で押さえてピンチインすると、当該キーボード画像の形状が左右方向に縮む。キーボード画像の上端と下端をそれぞれ指で押さえてピンチアウトすると、当該キーボード画像の形状が上下方向に広がり、キーボード画像の右端と左端をそれぞれ指で押さえてピンチアウトすると、当該キーボード画像の形状が左右方向に広がる。また、キーボード画像の内部において対角線上を二つの指で押さえてピンチインすると、当該指示画像が同じ形状のまま小さくなり、キーボード画像の内部において対角線上を二つの指で押さえてピンチアウトすると、当該キーボード画像が同じ形状のまま大きくなる。
【０１１２】
この第二実施形態の携帯端末については、文字入力作業時における持ち方、文字入力を行う際の処理手順等は、第一実施形態の場合と同様である。
【０１１３】
第二実施形態の携帯端末も、第一実施形態の携帯端末と同様の作用・効果を奏する。すなわち、この第二実施形態の携帯端末では、文字入力画面に第一カーソル及び第二カーソルを表示し、第一カーソルの移動方向を指示すると共に第一カーソルがキーボード画像上で現在指し示している文字キー画像の選択を指示するための第一指示画像と、第二カーソルの移動方向を指示すると共に第二カーソルがキーボード画像上で現在指し示している文字キー画像の選択を指示するための第二指示画像とをそれぞれ、表示手段の画面上に表示している。これら第一指示画像及び第二指示画像は表示手段の画面上のどこにでも表示可能であり、したがって、第一指示画像及び第二指示画像をユーザの操作しやすい位置に配置することができるので、文字の入力作業の際の操作性の向上を図ることができる。また、従来の携帯電話で用いられていた、カーソルを操作するための機械式の指示ボタンを表示画面の周囲に設ける必要がないので、携帯端末の小型化を図ることができる。
【０１１４】
また、第一指示画像及び第二指示画像をそれぞれ、当該携帯端末の端部の近傍における表示手段の画面上の所定の領域に表示すれば、ユーザは、文字入力に際して、第一指示画像の表示領域の近くの携帯端末の端部と第二指示画像の表示領域の近くの携帯端末の端部とをそれぞれの手で掴むことになるので、携帯端末を両手で安定して保持することができる。また、このように携帯端末を両手で保持した状態のまま、ユーザは、それぞれの手の親指等を用いて第一指示画像、第二指示画像を操作することができるので、入力作業を迅速且つ正確に行うことができる。しかも、ユーザは、携帯端末を両手で保持した状態のまま、それぞれの手の親指等を用いて第一指示画像、第二指示画像を操作して、所望の機能キー画像を迅速に選択することができる。
【０１１５】
ところで、上記第一及び第二の実施形態の携帯端末では、上述したように、ユーザが例えば第一指示画像と第二指示画像とを操作して二つのカーソルを移動させ、それら二つのカーソルを用いてキーボード画像のキーを選択することにより、文字入力を行うことができる。このため、表示手段の画面上においてキーボード画像の表示領域を小さくすることが可能である。二つのカーソルを用いてキーを選択するので、キーボード画像の表示領域を小さくしても、文字の入力が困難になったり、入力ミスが増えたりすることはないからである。この点は、一つのカーソルを用いてキーを選択する場合も同様である。キーボード画像の表示領域を小さくすることにより、文字入力画面のうちキーボード画像以外の画面の表示領域をより大きくすることが可能となる。また、キーボード画像の表示領域を小さくする代わりに、キーボード画像の各キーの表示領域を小さくして、キーボード画像として、さらに多くのキーを備えるものを表示することも可能である。すなわち、本実施形態の携帯端末において文字入力画面内に表示するキーボード画像としては、いろいろな種類のものを採用することが可能である。
【０１１６】
いま、第一及び第二の実施形態の携帯端末で使用可能なキーボード画像の具体例を図３０〜図３７に示す。図３０〜図３６はＱＷＥＲＴＹ配列のキーボード画像の例を示す図である。このうち、図３０〜図３２は漢字ひらがな入力モードの選択時に表示されるキーボード画像の例を示す図、図３３〜図３６は半角英字入力モードの選択時に表示されるキーボード画像の例を示す図である。ここで、半角英字入力モードの選択時に表示されるキーボード画像では、漢字ひらがな入力モードの選択時に表示されるキーボード画像と異なり、文字変換候補表示部１１５が表示されない。また、図３７は、ひらがな５０音配列のキーボード画像の例を示す図である。このように、キーボード画像としては、シンプルなキー構成のものに限らず、ファンクションキーやテンキー等を備えるフルキーボード構成のものを用いることができる。
【０１１７】
［他の実施形態］
尚、本発明は上記の各実施形態に限定されるものではなく、その要旨の範囲内において種々の変形が可能である。
【０１１８】
例えば、上記の第一実施形態（変形例を含む。以下、同様である。）では、各指示画像の表示位置を、所定の設定画面を用いて変更する場合について説明したが、第一実施形態の携帯端末において、第二実施形態で説明したように各指示画像（各移動方向指示部又は選択指示部）を一定時間以上長押しした後にドラッグすることにより当該指示画像の表示位置を変更するようにしてもよい。この場合、制御手段は次のような処理を行う。すなわち、操作判定手段は、タッチパネルの位置検知手段から接触位置情報が送られてくると、当該接触位置情報及び記憶手段に記憶されている指示画像表示領域情報に基づいて、第一指示画像の各指示部又は第二指示画像の各指示部を一定時間以上長押しした後にドラッグする操作が行われたかどうかを判断する。そして、操作判定手段は、第一指示画像の各指示部又は第二指示画像の各指示部を一定時間以上長押しした後にドラッグする操作が行われたと判断したときに、当該指示画像に対して長押し操作の後に当該ドラッグされた方向に沿ってドラッグ操作が行われた旨の信号を指示画像表示制御手段に出力する。指示画像表示制御手段は、操作判定手段から第一指示画像又は第二指示画像に対して長押し操作の後に所定の方向に沿ってドラッグ操作が行われた旨の信号が送られたときに、当該方向に当該指示画像の表示位置が移動するように表示手段の画面上における当該指示画像の表示位置を制御する。また、第二実施形態の携帯端末において、所定の設定画面を用いて各指示画像の表示位置を変更するようにしてもよい。
【０１１９】
また、上記の第一実施形態では、各指示画像の大きさや形状を、所定の設定画面を用いて変更する場合について説明したが、第一実施形態の携帯端末において、第二実施形態で説明したように各指示画像をピンチイン又はピンチアウトすることにより当該指示画像の大きさや形状を変更するようにしてもよい。また、第二実施形態の携帯端末において、所定の設定画面を用いて各指示画像の大きさや形状等を変更するようにしてもよい。
【０１２０】
更に、上記の第二実施形態の携帯端末では、キーボード画像の表示位置、及び、キーボード画像の大きさや形状を変更することができる場合について説明したが、第一実施形態でも、第二実施形態と同様にして、キーボード画像の表示位置、及び、キーボード画像の大きさや形状を変更することができるようにしてもよい。
【０１２１】
例えば、上記の各実施形態では、文字入力画面が表示手段の画面上に縦長の状態で表示され、ユーザが携帯端末を縦長の状態にして文字の入力を行う場合について説明したが、文字入力画面を表示手段の画面上に横長の状態で表示し、ユーザは携帯端末を横長の状態にして文字の入力を行うようにしてもよい。この場合には、第一指示画像及び第二指示画像を、携帯端末を横長の状態にして文字の入力を行う際にユーザが操作しやすい位置に表示すればよい。図３８及び図３９は第一実施形態の携帯端末を横長の状態にして文字の入力を行う場合に第一指示画像２０及び第二指示画像３０の表示位置の例を示す図である。図３８（ａ）の例では、第一指示画像２０を入力文字表示画面１２０の左上端部に、第二指示画像３０を入力文字表示画面１２０の右上端部に表示している。図３８（ｂ）の例では、第一指示画像２０を入力文字表示画面１２０の左端の中央部に、第二指示画像３０を入力文字表示画面１２０の右端の中央部に表示している。図３８（ｃ）の例では、第一指示画像２０を入力文字表示画面１２０の左下端部に、第二指示画像３０を入力文字表示画面１２０の右下端部に表示している。また、図３８（ｄ）の例では、第一指示画像２０及び第二指示画像３０の形状として横長の形状を選択した場合に、第一指示画像２０を入力文字表示画面１２０の左上端部に、第二指示画像３０を入力文字表示画面１２０の右上端部に表示している。図３８（ｅ）の例では、第一指示画像２０及び第二指示画像３０の形状として縦長の形状を選択した場合に、第一指示画像２０を入力文字表示画面１２０の左端の中央部に、第二指示画像３０を入力文字表示画面１２０の右端の中央部に表示している。図３８（ｆ）の例では、第一指示画像２０及び第二指示画像３０の形状として横長の形状を選択した場合に、第一指示画像２０を入力文字表示画面１２０の左下端部に、第二指示画像３０を入力文字表示画面１２０の右下端部に表示している。また、第一指示画像２０及び第二指示画像３０を、図３９（ａ）及び（ｂ）に示すようにキーボード画像の下方の領域に表示したり、図３９（ｃ）及び（ｄ）に示すようにキーボード画像の左右の領域に表示したりすることができる。
【０１２２】
ここで、携帯端末を横長の状態にして文字の入力を行う場合にも、所定の設定画面で指示画像の単独表示を選択することにより、第一指示画像及び第二指示画像のうちいずれか一方の指示画像を表示手段１０の画面上に表示することが可能である。第一指示画像及び第二指示画像のうちいずれか一方の指示画像を表示手段１０の画面上に表示した場合、二つのカーソル１０１，１０２のうちその表示している指示画像に対応するものカーソルだけが表示される。図４０〜図４３には、第一実施形態の携帯端末を横長の状態にして文字の入力を行う場合であって第二指示画像３０だけが画面上に表示されている場合にその第二指示画像３０の表示位置の例を示す。
【０１２３】
また、上記の各実施形態において、携帯端末として、表示手段の画面上に文字入力画面を表示しているときに、当該携帯端末を回転するとそれに合わせて文字入力画面が回転する機能を有するものを用いるようにしてもよい。この場合には、指示画像表示制御手段は、当該携帯端末の回転に合わせて第一指示画像及び第二指示画像の表示位置をも変更することが望ましい。これにより、文字入力画面及び二つの指示画像の表示状態は、携帯端末の回転状態に応じて、例えば図９（ａ）に示す状態と図３８（ａ）に示す状態との間で自動的に切り替わることになる。
【０１２４】
更に、上記の各実施形態において、携帯端末として二つ折り可能に構成されたものを用いるようにしてもよい。具体的に、図４４及び図４５には二つ折りタイプの縦長状の携帯端末において第一指示画像２０及び第二指示画像３０の表示位置の例を示す。そして、図４６〜図４９には二つ折りタイプの縦長状の携帯端末において第二指示画像３０だけが画面上に表示されている場合にその第二指示画像３０の表示位置の例を示す。また、図５０及び図５１には二つ折りタイプの横長状の携帯端末において第一指示画像２０及び第二指示画像３０の表示位置の例を示す。そして、図５２〜図５７には二つ折りタイプの横長状の携帯端末において第二指示画像３０だけが画面上に表示されている場合にその第二指示画像３０の表示位置の例を示す。
【０１２５】
また、上記の各実施形態において、第一指示画像及び第二指示画像のうちいずれか一方は、表示手段の画面上に文字入力画面が表示されているかどうかにかかわらず、常時、カーソル操作ボタンとして機能するように構成してもよい。更に、第一指示画像及び第二指示画像はともに、表示手段の画面上に文字入力画面が表示されているかどうかにかかわらず、常時、カーソル操作ボタンとして機能するように構成してもよい。特に、第一実施形態の携帯端末において、表示手段の画面上に文字入力画面以外の画面が表示されているときに、例えば第一指示画像２０の選択指示部と第二指示画像３０の選択指示部とが同時に二回連続してタップされ、操作判定手段からこれらの操作に対応する信号が送られてくると、制御手段は、ホーム画面を表示手段の画面上に表示させるようにしてもよい。これにより、第一指示画像及び第二指示画像を使ってホーム画面に容易に戻ることができる。尚、図５８及び図５９は表示手段の画面上に文字入力画面が表示されていない場合にカーソル操作ボタンとして機能する二つの指示画像の操作の例を示す図である。ここで、図５８（ａ）では第一指示画像２０だけを表示手段の画面上に表示し、この第一指示画像２０を操作する例が示され、図５８（ｂ）では第二指示画像３０だけを表示手段の画面上に表示し、この第二指示画像３０を操作する例が示される。また、図５９（ａ），（ｂ）では第一指示画像２０と第二指示画像３０の両方を操作する例が示されている。
【０１２６】
尚、第一指示画像又は第二指示画像を、常時、カーソル操作ボタンとして機能するように構成する場合には、当該カーソルの表示態様を、現在表示している画面の種類に応じて変更するようにしてもよい。また、第一指示画像及び第二指示画像をともに、常時、カーソル操作ボタンとして機能するように構成する場合には、各カーソルの表示態様を、現在表示している画面の種類に応じて変更するようにしてもよい。例えば、表示手段の画面上にホームページを表示しているときには、カーソル表示制御手段は、各カーソルを、リンクが張られている画像や文字列を取り囲むような態様で表示し、且つ、リンクが張られている画像や文字列を単位として移動させるようにしてもよい。
【０１２７】
また、上記の各実施形態において、携帯端末が通話機能を有する場合には、文字入力画面は、電話番号を入力するための電話番号入力画面であってもよい。この場合、電話番号入力画面には、キーボード画像として、図６０（ａ）又は（ｂ）に示すように、「０」〜「９」の数字キー、発信キー、終了キー等を有する画像が表示されることになる。ユーザは、第一指示画像及び第二指示画像を操作することにより、このキーボード画像において数字キーを選択して、電話番号を入力することができる。
【０１２８】
更に、上記の各実施形態では、キーボード切替えキーにより、ＱＷＥＲＴＹ配列のキーボード画像とひらがな５０音配列のキーボード画像とを切り替える場合について説明したが、本発明の携帯端末を各国で使用する場合には、ひらがな５０音配列のキーボード画像の代わりに、当該国の言語配列のキーボード画像を採用するようにしてもよい。かかる各国言語配列のキーボード画像の具体例を図６１〜図６３に示す。図６１はスペイン語配列のキーボード画像の例を示す図、図６２はフランス語配列のキーボード画像の例を示す図、図６３は韓国語配列のキーボード画像の例を示す図である。ここで、これら各図において、キーボード切替えキー１１３は、ＱＷＥＲＴＹ配列のキーボード画像と、当該言語配列のキーボード画像とを切り替えるためのものである。また、ドイツ語等他言語配列キーボード画像を用いてもよい。尚、ドイツ語、スペイン語、フランス語等の各国言語配列のキーボード画像を用いて、綴り字記号等の付いた表記文字を入力する場合には、例えば、母音を表す文字キーを長押しして、綴り字記号等の付いた各表記文字を記したウィンドウを開いた後、このウィンドウ内の各表示文字の中から所望の表示文字を選択するようにしてもよい。また、綴り字記号等を表すキーをキーボード画像上に初めから配置しておき、かかるキーを用いて綴り字記号等の付いた表記文字を直接入力するようにしてもよい。更に、中国語を入力する場合は、大陸で利用している簡体字、台湾で利用している繁体字とも、ローマ字（英字）入力で中国語に変換するのが一般的であるので、中国語を入力するためのキーボード画像としては、ローマ字（英字）入力で日本語に変換する場合と同様に、図３０、図３１、図３２等に示すキーボード画像が用いられる。また、中国語配列キーボード画像を用いてもよい。
【０１２９】
また、上記の各実施形態では、本発明の携帯端末がタブレット端末である場合について説明したが、本発明の携帯端末は、タブレット端末に限らず、例えば、携帯電話、スマートフォン、携帯情報端末、タッチパネルを備えるノート型パーソナルコンピュータ、板状の本体の前面がすべてタッチパネル式ディスプレイとなっているスレートパーソナルコンピュータ（Slate PC）等であってもよい。ここで、本発明の携帯端末が二つ折り携帯電話である場合の指示画像の表示位置の例を図６４に示す。図６４（ａ），（ｂ），（ｃ）は第二指示画像３０だけを携帯電話の表示手段の画面上に表示した場合の例を示す。図６４（ｄ）は第一指示画像２０及び第二指示画像３０を携帯電話の表示手段の画面上に表示した場合の例を示す。
【０１３０】
更に、上記の各実施形態では、第一カーソルと、第二カーソルと、第一カーソルの移動方向等を指示するための第一指示画像と、第二カーソルの移動方向等を指示するための第二指示画像とを表示手段の画面上に表示する場合、すなわち、二組のカーソル及び指示画像を表示手段の画面上に表示する場合について説明したが、本発明の携帯端末は、一組のカーソル及び指示画像を表示手段の画面上に表示するものであってもよい。具体的に、第一実施形態の携帯端末において、一組のカーソル及び指示画像だけを表示手段の画面上に表示するようにしてもよい。ここで、一組のカーソル及び指示画像だけが画面上に表示されている第一実施形態の携帯端末の概略正面図は例えば図１１と同様である。また、第二実施形態の携帯端末において、一組のカーソル及び指示画像だけを表示手段の画面上に表示するようにしてもよい。これらの場合も、一つの指示画像は表示手段の画面上のどこにでも表示可能であり、したがって、指示画像をユーザの操作しやすい位置に配置することができるので、文字の入力作業の際の操作性の向上を図ることができ、また、カーソルを操作するための機械式の指示ボタンを表示画面の周囲に設ける必要がないので、携帯端末の小型化を図ることができる。
【０１３１】
また、一組のカーソル及び指示画像を表示手段の画面上に表示する場合において、キーボード画像の略中央位置をカーソルの基準位置とし、カーソル表示制御手段は、文字の入力を行っている際に、予め定めた一定時間（無操作時間）、指示画像が操作されなかったと判断したときに、或いは、指示画像に対して予め定めた操作がなされたと判断したときに、カーソルを基準位置に復帰させるようにしてもよい。ここで、具体的に、カーソルの基準位置への復帰操作としては、移動方向指示部と選択指示部とを同時に連続して三回タップするというような操作を定めることができる。これにより、ユーザはカーソルを基準位置に復帰させることによってカーソルの位置を容易且つ迅速に認識することができ、またカーソルを基準位置から所望のキー画像に短い移動距離で移動することができるので、文字入力を効率よく行うことができる。尚、この場合におけるカーソルの基準位置への復帰操作は、上述したものに限定されるものではなく、指示画像を用いて行う操作であればどのようなものであってもよい。また、所定の設定画面を用いて、カーソルの基準位置への復帰操作の設定、基準位置の設定、無操作時間の設定、カーソルを基準位置へ復帰させる機能の有効／無効の切替えの設定を行うようにしてもよい。
【０１３２】
（マウスのボタン機能付き指示画像）
本発明の第一指示画像及び第二指示画像は、上記の第一実施形態や第二実施形態のものに限定されるものではなく、例えば、図６５〜図６８に示すようなものであってもよい。図６５（ａ）〜（ｃ）は第一実施形態における第一指示画像の第一の変形例を示す図であり、同図（ｄ）〜（ｆ）は第一実施形態における第二指示画像の第一の変形例を示す図であり、図６６（ａ）〜（ｃ）は第一実施形態における第一指示画像の第二の変形例を示す図であり、同図（ｄ）〜（ｆ）は第一実施形態における第二指示画像の第二の変形例を示す図である。図６７（ａ）〜（ｃ）は第一実施形態の変形例における第一指示画像の第一の変形例を示す図であり、同図（ｄ）〜（ｆ）は第一実施形態の変形例における第二指示画像の第一の変形例を示す図であり、図６８（ａ）〜（ｃ）は第一実施形態の変形例における第一指示画像の第二の変形例を示す図であり、同図（ｄ）〜（ｆ）は第一実施形態の変形例における第二指示画像の第二の変形例を示す図である。図６５から図６８に示す第一指示画像の変形例及び第二指示画像の変形例は、第一実施形態に示す選択指示部の領域を二つに区分し、一方の領域を上記の第一実施形態の選択指示部と同様の機能を有する選択指示部とし、他方の領域をマウスの右ボタンと同様の機能を有する右ボタン部５０１としている。これにより、例えば、右ボタン部５０１をタップすると、マウスの右ボタンをクリックしたときと同様に、その時点で操作可能なメニューが画面に表示される。
【０１３３】
また、第一指示画像及び第二指示画像は、例えば、図６９〜図７１に示すようなものであってもよい。図６９（ａ）〜（ｃ）は第一実施形態における第一指示画像の変形例を示す図であり、図６９（ｄ）〜（ｆ）は第一実施形態における第二指示画像の変形例を示す図である。図７０（ａ）〜（ｃ）は第一実施形態の変形例における第一指示画像の変形例を示す図であり、図７０（ｄ）〜（ｆ）は第一実施形態の変形例における第二指示画像の変形例を示す図である。図７１（ａ）〜（ｃ）は第二実施形態における第一指示画像の変形例を示す図であり、図７１（ｄ）〜（ｆ）は第二実施形態における第二指示画像の変形例を示す図である。図６９から図７１に示す第一指示画像の変形例及び第二指示画像の変形例は、上記の各実施形態に示す各指示画像の領域の下部に、マウスの右ボタンと同様の機能を有する右ボタン部５０２の領域を設けたものである。この右ボタン部５０２の機能は上記の右ボタン部５０１と同様である。
【０１３４】
更に、第一指示画像及び第二指示画像は、例えば、図７２〜図７４に示すようなものであってもよい。図７２（ａ）〜（ｃ）は第一実施形態における第一指示画像の変形例を示す図であり、図７２（ｄ）〜（ｆ）は第一実施形態における第二指示画像の変形例を示す図である。図７３（ａ）〜（ｃ）は第一実施形態の変形例における第一指示画像の変形例を示す図であり、図７３（ｄ）〜（ｆ）は第一実施形態の変形例における第二指示画像の変形例を示す図である。図７４（ａ）〜（ｃ）は第二実施形態における第一指示画像の変形例を示す図であり、図７４（ｄ）〜（ｆ）は第二実施形態における第二指示画像の変形例を示す図である。図７２から図７４に示す第一指示画像の変形例及び第二指示画像の変形例は、上記の各実施形態に示す各指示画像の領域の下部に、マウスの右ボタンと同様の機能を有する右ボタン部５０３の領域と、マウスの左ボタンと同様の機能を有する左ボタン部５１１の領域とを設けたものである。これにより、例えば左ボタン部５１１をタップすると、マウスの左ボタンをクリックしたときと同様に、ファイルやホルダを選択したり、カーソルが指示する「送信」等のボタンを押したりすることができる。なお、右ボタン部５０３の機能は上記の右ボタン部５０１と同様である。
【０１３５】
（裏側に指示画像を表示する携帯端末）
上記の各実施形態では、携帯端末の表側に設けられた表示手段の一部に指示画像の領域を設ける場合について説明したが、本発明はこれに限定されるものではなく、携帯端末の表側の表示手段に指示画像の領域を設けるだけでなく、例えば図７５及び図７６に示すように携帯端末の裏側に設けたタッチパネル付きの小型の表示手段１１に第一指示画像及び第二指示画像の領域を設けるようにしてもよい。図７５（ａ）は第一実施形態における第一指示画像及び第二指示画像の変形例を示すものであり、同図（ｂ）は第一実施形態の変形例における第一指示画像及び第二指示画像の変形例を示すものであり、同図（ｃ）は第二実施形態における第一指示画像及び第二指示画像の変形例を示すものである。携帯端末の表側の表示手段に指示画像の領域を設けるだけでなく、携帯端末の裏側の小型の表示手段１１に図７５に示す指示画像の領域を設けることにより、携帯端末の表側の表示手段に表示される指示画像だけでなく、裏側の小型の表示手段１１に表示される指示画像を用いてカーソルの操作を行うことができるので、使い勝手の向上を図ることができる。具体的に、この場合、記憶手段には、小型の表示手段の画面上における所定の表示領域に第一指示画像を表示するための第一指示画像表示領域情報、及び、小型の表示手段の画面上における所定の表示領域に第二指示画像を表示するための第二指示画像表示領域情報を記憶しておき、指示画像制御手段が、記憶手段に記憶された第一指示画像表示領域情報及び第二指示画像表示領域情報に基づいて、第一指示画像及び第二指示画像をそれぞれ小型の表示手段の画面上における所定の表示領域に表示する制御を行う。また、位置検知手段は、小型の表示手段の画面に対して接触操作が行われたときにその接触した位置を検知し、その検知した位置を示す接触位置情報を出力する。なお、図７５に示す第一指示画像及び第二指示画像については、携帯端末の裏側に二つの小型の表示手段を設け、一方の小型の表示手段には第一指示画像のみを表示し、他方の小型の表示手段には第二指示画像のみを表示するようにしてもよい。また、携帯端末の裏面に一つの小型の表示手段を設け、この小型の表示手段に第一指示画像及び第二指示画像のうちいずれか一方の領域を設けるようにしてもよい。この場合の小型の表示手段は、二つの指示画像の領域が設けられた小型の表示手段に比べて、略半分の大きさですむ。
【０１３６】
また、指示画像を携帯端末の裏側に設ける場合、図７６に示すように、裏側の小型の表示手段１２に第一指示画像と第二指示画像の組を二組表示するようにしてもよい。図７６（ａ）は第一実施形態における第一指示画像及び第二指示画像の変形例を示すものであり、同図（ｂ）は第一実施形態の変形例における第一指示画像及び第二指示画像の変形例を示すものであり、同図（ｃ）は第二実施形態における第一指示画像及び第二指示画像の変形例を示すものである。図７６に示す裏側の小型の表示手段１２に表示される二組の指示画像は、９０度ずらして表示されるので、携帯端末を９０度回転させて第一指示画像及び第二指示画像を操作するときにも、容易に裏側に表示される第一指示画像及び第二指示画像を操作することができる。また、表示手段の画面上に文字入力画面を表示しているときに、当該携帯端末を回転するとそれに合わせて文字入力画面が回転する機能を有するものに、図７６に示すように携帯端末の裏面に第一指示画像及び第二指示画像を二組表示する場合、例えば当該携帯端末が縦にして使用されているのか、横にして使用されているのかを検知する検知手段を設け、制御手段６０がこの検知手段が検知した信号に基づいて略水平に位置する第一指示画像と第二指示画像の組を操作可能とするように制御し、略垂直に位置する第一指示画像と第二指示画像の組については操作できないように制御、例えば略垂直に位置する第一指示画像と第二指示画像の組を表示しないように制御してもよい。更に、図７６に示す四つの指示画像については、携帯端末の裏面に二つの小型の表示手段を設け、各々の小型の表示手段に一組の第一指示画像及び第二指示画像を表示するようにしてもよいし、若しくは、携帯端末の裏面に四つの小型の表示手段を設け、その各々の小型の表示手段に一つの指示画像を表示するようにしてもよい。
【０１３７】
なお、携帯端末の裏面に指示画像の領域を設ける場合も、図６５から図６８に示す変形例のように、選択指示部の領域を二つに区分し、一方の領域を上記の第一実施形態の選択指示部と同様の機能を有する選択指示部とし、他方の領域をマウスの右ボタンと同様の機能を有する右ボタン部としてもよいし、図６９から図７１に示す変形例のように、各指示画像の領域の下部に、マウスの右ボタンと同様の機能を有する右ボタン部の領域を設けてもよいし、図７２から図７４に示す変形例のように、各指示画像の領域の下部に、マウスの右ボタンと同様の機能を有する右ボタン部の領域と、マウスの左ボタンと同様の機能を有する左ボタン部の領域とを設けるようにしてもよい。また、上記に示す携帯端末のように第一指示画像及び第二指示画像を携帯端末の裏側の小型の表示手段に表示するときには、携帯端末の表側の表示手段には第一指示画像及び第二指示画像を表示しないようにしてもよい。
【０１３８】
更に、図７５（ａ）に示す第一指示画像及び第二指示画像が携帯端末の裏面に配置されている場合には、第一指示画像の８つの移動方向指示部のうち、携帯端末の正面側（ディスプレイ側）から見て上下左右又はそれ以外の方向を示すいずれかの移動方向指示部をタップすると、当該指示画像に対応する第一カーソルは文字入力画面１００上において当該タップした移動方向指示部が示す方向に移動する。第二指示画像についても同様である。ここで、右ボタン部と左ボタン部が携帯端末の裏面に配置されている場合には、携帯端末の正面側（ディスプレイ側）から見て右側に右ボタン部を配置し、左側に左ボタン部を配置するようにしてもよい。このように、図７５（ａ）に示す第一指示画像及び第二指示画像を携帯端末の裏面に配置した場合、通常、ユーザは各指示画像の操作を、親指以外の人指し指等を用いて行うことになる。また、図７５（ｂ）に示す第一指示画像及び第二指示画像が携帯端末の裏面に配置されている場合には、第一指示画像の移動方向指示部における所望の位置をタップすると、第一カーソルは文字入力画面１００上において携帯端末の正面側（ディスプレイ側）から見て第一指示画像の中心位置から当該タップした位置に向かう方向と平行に移動する。第二指示画像についても同様である。ここで、右ボタン部と左ボタン部が携帯端末の裏面に配置されている場合には、携帯端末の正面側（ディスプレイ側）から見て右側に右ボタン部を配置し、左側に左ボタン部を配置するようにしてもよい。このように、図７５（ｂ）に示す第一指示画像及び第二指示画像を携帯端末の裏面に配置した場合、通常、ユーザは各指示画像の操作を、親指以外の人指し指等を用いて行うことになる。さらに、図７５（ｃ）に示す第一指示画像及び第二指示画像が携帯端末の裏面に配置されている場合には、携帯端末の正面側（ディスプレイ側）から見て、第一指示画像をフリックする操作又はドラッグする操作により上下左右又はそれ以外の方向を指示すると、当該指示画像に対応する第一カーソルは文字入力画面１００上において当該指示された方向に移動する。第二指示画像についても同様である。ここで、右ボタン部と左ボタン部が携帯端末の裏面に配置されている場合には、携帯端末の正面側（ディスプレイ側）から見て右側に右ボタン部を配置し、左側に左ボタン部を配置するようにしてもよい。このように、図７５（ｃ）に示す第一指示画像及び第二指示画像を携帯端末の裏面に配置した場合、通常、ユーザは各指示画像の操作を、親指以外の人指し指等を用いて行うことになる。
【０１３９】
（スライド式の携帯端末）
上記の各実施形態において、携帯端末をスライド式に構成し、第一指示画像及び第二指示画像をそれぞれ、携帯端末をスライドしたときに現れるタッチパネル付きの小型の表示手段に表示するようにしてもよい。図７７及び図７８は本発明の携帯端末がスライド式のものである場合の第一指示画像及び第二指示画像の表示位置の例を示す図である。具体的に、図７７は本体部１ａと携帯端末１の後部の一部が上下方向にスライドするスライド部１ｂとを備える携帯端末の例を示し、図７８は本体部１ｃと携帯端末１の後部の全体が上下方向にスライドするスライド部１ｄを備える携帯端末の例を示す。図７７及び図７８では、携帯端末のスライド部をスライドしたときに、第一指示画像２０がこの携帯端末のスライド部の左側に設けられた小型の表示手段１３に表示され、第二指示画像３０がこの携帯端末のスライド部の右側に設けられた小型の表示手段１４に表示される。また、図７９は本体部１ａと携帯端末の後部の一部が上下方向にスライドするスライド部１ｂを備える携帯端末の他の例を示し、図８０は本体部１ｃと携帯端末の後部の全体が上下方向にスライドするスライド部１ｄとを備える携帯端末の他の例を示す。携帯端末をスライド式に構成した場合には、図７９及び図８０に示すように、後部のスライド部を携帯端末１の本体部の後ろ側にスライドして収納したときにも、第一指示画像及び第二指示画像を操作することができるように、携帯端末の本体部の枠部の所定位置にタッチパネル付きの小型の表示手段１５，１６を設け、小型の表示手段１５に第一指示画像を表示し、小型の表示手段１６に第二指示画像を表示するようにしてもよい。
【０１４０】
なお、図７７〜図８０では、第一指示画像２０と第二指示画像３０を表示しているが、第一指示画像２０の代わりに図２７に示す第一指示画像２０ａ又は図２９に示す第一指示画像２００を表示するようにしてもよいし、第二指示画像３０の代わりに図２７に示す第二指示画像３０ａ又は図２９に示す第二指示画像３００を表示するようにしてもよい。また、図７７〜図８０に示すスライド式の携帯端末についても、図６５から図６８に示す変形例のように、選択指示部の領域を二つに区分し、一方の領域を上記の第一実施形態の選択指示部と同様の機能を有する選択指示部とし、他方の領域をマウスの右ボタンと同様の機能を有する右ボタン部としてもよいし、図６９から図７１に示す変形例のように、各指示画像の領域の下部に、マウスの右ボタンと同様の機能を有する右ボタン部の領域を設けてもよいし、図７２から図７４に示す変形例のように、各指示画像の領域の下部に、マウスの右ボタンと同様の機能を有する右ボタン部の領域と、マウスの左ボタンと同様の機能を有する左ボタン部の領域とを設けるようにしてもよい。更に、図７７から図８０に示すスライド式の携帯端末についても、本体部又はスライド部の裏面にタッチパネル付きの小型の表示手段を設け、この小型の表示手段に、例えば図７５に示すような指示画像の領域を設けるようにしたり、或いは図７６に示す指示画像の領域を設けるようにしたりしてもよい。
【０１４１】
（二つ折り携帯電話）
本発明の携帯端末が二つ折り携帯電話である場合には、図８１に示すように、携帯電話を開いたときに下側に位置する部分にタッチパネル付きの小型の表示手段を設け、この小型の表示手段に指示画像を表示するようにしてもよい。図８１（ａ）は携帯電話を開いたときに下側に位置する部分の表側に設けられた小型の表示手段１７に第一指示画像２０を表示する場合を示す。図８１（ｂ）は携帯電話を開いたときに下側に位置する部分の裏側に設けられた小型の表示手段１７に第一指示画像２０を表示する場合を示す。図８１（ｃ）は携帯電話を開いたときに下側に位置する部分の表側に設けられた小型の表示手段１８に第一指示画像２０を、小型の表示手段１９に第二指示画像３０を表示する場合を示す。そして、図８１（ｄ）は携帯電話を開いたときに下側に位置する部分の裏側に設けられた小型の表示手段１８に第一指示画像２０を、小型の表示手段１９に第二指示画像３０を表示する場合を示している。
【０１４２】
なお、図８１に示す二つ折りの携帯電話についても、図６５から図６８に示す変形例のように、選択指示部の領域を二つに区分し、一方の領域を上記の第一実施形態の選択指示部と同様の機能を有する選択指示部とし、他方の領域をマウスの右ボタンと同様の機能を有する右ボタン部としてもよいし、図６９から図７１に示す変形例のように、各指示画像の領域の下部に、マウスの右ボタンと同様の機能を有する右ボタン部の領域を設けてもよいし、図７２から図７４に示す変形例のように、各指示画像の領域の下部に、マウスの右ボタンと同様の機能を有する右ボタン部の領域と、マウスの左ボタンと同様の機能を有する左ボタン部の領域とを設けるようにしてもよい。また、図８１（ｂ）、（ｄ）に示すように、裏側に小型の表示手段を設ける場合には、表側の小型の表示手段は省略するようにしてもよい。
【０１４３】
（その他）
本発明の携帯端末では、携帯端末の裏面に設けたタッチパネル付きの小型の表示手段に指示画像の領域を設ける場合、小型の表示手段の形状は上記の丸型や角型に限定されるものではなく、どのような形状のものであってもよい。
【０１４４】
また、上記の第一実施形態或いはその第一実施形態に関する上記の他の実施形態では、第一指示画像及び第二指示画像としてそれぞれ、８つの移動方向指示部を有するものを用いた場合について説明したが、第一指示画像及び第二指示画像としてはそれぞれ、４つ又は６つ等、複数の移動方向指示部を有するものを用いてもよい。ここで、図８２に６つの移動方向指示部を有する第一指示画像及び第二指示画像の例を示す。更に、第一実施形態或いはその第一実施形態に関する上記の他の実施形態において、一組のカーソル及び指示画像だけを表示手段の画面上に表示する場合にも、その指示画像としては、４つ又は６つ等、複数の移動方向指示部を有するものを用いてもよい。
【産業上の利用可能性】
【０１４５】
以上説明したように、本発明の携帯端末では、文字入力画面にカーソルを表示し、カーソルの移動方向を指示すると共にカーソルがキーボード画像上で現在指し示している文字キー画像の選択を指示するための指示画像を、表示手段の画面上に表示したことにより、この指示画像は表示手段の画面上のどこにでも表示可能であり、したがって、指示画像をユーザの操作しやすい位置に配置することができるので、文字の入力作業の際の操作性の向上を図ることができる。また、従来の携帯電話で用いられていた、カーソルを操作するための機械式の指示ボタンを表示画面の周囲に設ける必要がないので、携帯端末の小型化を図ることができる。したがって、本発明は、文字入力機能を有する、携帯電話、スマートフォン、携帯情報端末、タブレット端末等の携帯端末に適用することができる。
【符号の説明】
【０１４６】
１０  表示手段
１１，１２，１３，・・・，１９  タッチパネル付きの小型の表示手段
２０，２０ａ，２００  第一指示画像
２１，２１ａ，２１ｂ，・・・，２１ｈ  移動方向指示部
２２  選択指示部
３０，３０ａ，３００  第二指示画像
３１，３１ａ，３１ｂ，・・・，３１ｈ  移動方向指示部
３２  選択指示部
４０  記憶手段
５０  通信手段
６０  制御手段
６１  表示制御手段
６１ａ  指示画像表示制御手段
６１ｂ  カーソル表示制御手段
６１ｃ  キーボード画像表示制御手段
６２  操作判定手段
６３  入力制御手段
７０  タッチパネル
７１  位置検知手段
１００  文字入力画面
１００ａ  メール送信・作成画面
１０１  第一カーソル
１０２  第二カーソル
１１０  キーボード画像
１１１  文字入力モード切替えキー
１１２  ホームキー
１１３  キーボード切替えキー
１１５  文字変換候補表示部
１２０  入力文字表示画面
１２０ａ  メッセージ作成表示画面
１２１  宛先入力欄
１２２  宛先入力完了ボタン
１２３  題名入力欄
１２４  題名入力完了ボタン
１２５  本文入力欄
１２６  送信ボタン
４００  設定画面
４１０  大きさ選択部
４２０  形状選択部
４３０  位置選択部
【図１】
2014115971.tif 000003
【図２】
2014115971.tif 000004
【図３】
2014115971.tif 000005
【図４】
2014115971.tif 000006
【図５】
2014115971.tif 000007
【図６】
2014115971.tif 000008
【図７】
2014115971.tif 000009
【図８】
2014115971.tif 000010
【図９】
2014115971.tif 000011
【図１０】
2014115971.tif 000012
【図１１】
2014115971.tif 000013
【図１２】
2014115971.tif 000014
【図１３】
2014115971.tif 000015
【図１４】
2014115971.tif 000016
【図１５】
2014115971.tif 000017
【図１６】
2014115971.tif 000018
【図１７】
2014115971.tif 000019
【図１８】
2014115971.tif 000020
【図１９】
2014115971.tif 000021
【図２０】
2014115971.tif 000022
【図２１】
2014115971.tif 000023
【図２２】
2014115971.tif 000024
【図２３】
2014115971.tif 000025
【図２４】
2014115971.tif 000026
【図２５】
2014115971.tif 000027
【図２６】
2014115971.tif 000028
【図２７】
2014115971.tif 000029
【図２８】
2014115971.tif 000030
【図２９】
2014115971.tif 000031
【図３０】
2014115971.tif 000032
【図３１】
2014115971.tif 000033
【図３２】
2014115971.tif 000034
【図３３】
2014115971.tif 000035
【図３４】
2014115971.tif 000036
【図３５】
2014115971.tif 000037
【図３６】
2014115971.tif 000038
【図３７】
2014115971.tif 000039
【図３８】
2014115971.tif 000040
【図３９】
2014115971.tif 000041
【図４０】
2014115971.tif 000042
【図４１】
2014115971.tif 000043
【図４２】
2014115971.tif 000044
【図４３】
2014115971.tif 000045
【図４４】
2014115971.tif 000046
【図４５】
2014115971.tif 000047
【図４６】
2014115971.tif 000048
【図４７】
2014115971.tif 000049
【図４８】
2014115971.tif 000050
【図４９】
2014115971.tif 000051
【図５０】
2014115971.tif 000052
【図５１】
2014115971.tif 000053
【図５２】
2014115971.tif 000054
【図５３】
2014115971.tif 000055
【図５４】
2014115971.tif 000056
【図５５】
2014115971.tif 000057
【図５６】
2014115971.tif 000058
【図５７】
2014115971.tif 000059
【図５８】
2014115971.tif 000060
【図５９】
2014115971.tif 000061
【図６０】
2014115971.tif 000062
【図６１】
2014115971.tif 000063
【図６２】
2014115971.tif 000064
【図６３】
2014115971.tif 000065
【図６４】
2014115971.tif 000066
【図６５】
2014115971.tif 000067
【図６６】
2014115971.tif 000068
【図６７】
2014115971.tif 000069
【図６８】
2014115971.tif 000070
【図６９】
2014115971.tif 000071
【図７０】
2014115971.tif 000072
【図７１】
2014115971.tif 000073
【図７２】
2014115971.tif 000074
【図７３】
2014115971.tif 000075
【図７４】
2014115971.tif 000076
【図７５】
2014115971.tif 000077
【図７６】
2014115971.tif 000078
【図７７】
2014115971.tif 000079
【図７８】
2014115971.tif 000080
【図７９】
2014115971.tif 000081
【図８０】
2014115971.tif 000082
【図８１】
2014115971.tif 000083
【図８２】
2014115971.tif 000084